(57)【特許請求の範囲】
【請求項１】
貨幣処理装置であって、
装置外に載置される貨幣の画像データを取得する撮像手段と、
前記撮像手段によって取得された貨幣の画像データに基づいて当該貨幣の金額情報を算出する算出手段と、
前記画像データに基づいて算出された金額情報を記憶する記憶手段と、
前記画像データが取得された後に装置内に受け入れた貨幣を識別する識別手段と、
前記記憶手段に記憶された金額情報と、前記識別手段による識別結果に基づいて特定される金額情報と、を比較する比較処理を行う制御手段と、を備え、
前記記憶手段には、記憶された金額情報と前記識別手段による識別結果に基づいて特定される金額情報とが合致しない場合の対応パターンが複数用意されて記憶されており、
前記制御手段は、前記比較処理の結果、前記記憶手段に記憶された金額情報と前記識別手段による識別結果に基づいて特定される金額情報とが合致しない場合に、前記記憶された複数の対応パターンのうち、いずれの対応パターンが採用されるべきかを決定するための判別条件を判定し、当該判別条件の判定結果に基づいて対応パターンの一つを選択し、実施する
ことを特徴とする貨幣処理装置。
【請求項２】
前記記憶手段に記憶された金額情報の方が前記識別手段による識別結果に基づいて特定される金額情報よりも多い場合の対応パターンと、前記記憶手段に記憶された金額情報の方が前記識別手段による識別結果に基づいて特定される金額情報よりも少ない場合の対応パターンと、が異なっている
ことを特徴とする請求項１に記載の貨幣処理装置。
【請求項３】
前記記憶手段に記憶された金額情報の方が前記識別手段による識別結果に基づいて特定される金額情報よりも多い場合の対応パターンは、貨幣の追加投入を促す処理を含む
ことを特徴とする請求項２に記載の貨幣処理装置。
【請求項４】
前記記憶手段に記憶された金額情報の方が前記識別手段による識別結果に基づいて特定される金額情報よりも少ない場合の対応パターンは、過剰貨幣を出金する処理を含む
ことを特徴とする請求項２または３に記載の貨幣処理装置。
【請求項５】
前記識別手段によってリジェクト貨幣と識別された貨幣が存在する場合の対応パターンと、前記識別手段によってリジェクト貨幣と識別された貨幣が存在しない場合の対応パターンと、が異なっている
ことを特徴とする請求項１乃至４のいずれかに記載の貨幣処理装置。
【請求項６】
タイマー手段を備え、
予め記憶される時間帯設定に基づいて、選択される対応パターンが異なっている
ことを特徴とする請求項１乃至５のいずれかに記載の貨幣処理装置。
【請求項７】
前記対応パターンのいずれか一つは、前記記憶手段に記憶された金額情報と前記識別手段による識別結果に基づいて特定される金額情報とが合致する場合の状態に復帰させるクリア処理を含み、
前記クリア処理が行われたとき、前記記憶手段は、前記クリア処理に関する情報を、対応する取引情報に紐づけて記憶する
ことを特徴とする請求項１乃至６のいずれかに記載の貨幣処理装置。
【請求項８】
前記対応パターンのいずれか一つは、装置内に受け入れた前記貨幣を全て出金する処理を含む
ことを特徴とする請求項１乃至７のいずれかに記載の貨幣処理装置。
【請求項９】
前記対応パターンのいずれか一つは、警告情報を出力する処理を含む
ことを特徴とする請求項１乃至８のいずれかに記載の貨幣処理装置。
【請求項１０】
撮像手段によって、装置外に載置される貨幣の画像データを取得する工程と、
前記画像データに基づいて当該貨幣の金額情報を算出する工程と、
算出された前記金額情報を記憶手段に記憶する工程と、
前記画像データが取得された後に装置内に受け入れた貨幣を識別手段によって識別し、当該貨幣の金額情報を算出する工程と、
前記記憶手段に記憶された金額情報と、前記識別手段による識別結果に基づいて算出された金額情報とを比較する工程と、
前記比較する工程の結果、前記記憶手段に記憶された金額情報と前記識別手段による識別結果に基づいて特定される金額情報とが合致しない場合に、予め用意された複数の対応パターンのうち、いずれの対応パターンが採用されるべきかを決定するための判別条件を判定し、当該判別条件の判定結果に基づいて対応パターンの一つを選択し、実施する工程と、
を貨幣処理装置が行うことを特徴とする貨幣処理方法。
【発明の詳細な説明】
【技術分野】
【０００１】
本発明は、貨幣を処理する貨幣処理装置及び貨幣処理方法に関する。
【背景技術】
【０００２】
従来から、金融機関、交通機関の窓口、スーパーマーケット等の精算所においては、紙幣や硬貨の入出金処理を機械的に自動処理するような貨幣処理装置や貨幣処理システムが導入されている。
【０００３】
このような貨幣入出金処理システムは、紙幣の入出金処理を行う紙幣処理装置と、硬貨の入出金処理を行う硬貨処理装置と、商品、販売額、振込額等を登録するとともに紙幣処理装置及び硬貨処理装置に対して指令を送る登録装置と、を含んでいる。この登録装置については、スーパーマーケット等の精算所においてはＰＯＳレジスタがその機能を持ち、また金融機関や交通機関の窓口においてはテラーズマシンがその機能を持つようになされている。
【０００４】
この点、特許文献１では、入金優先処理と出金優先処理との双方を選択的に行えるようにした貨幣処理装置が開示されている。この特許文献１による貨幣処理装置でも、入金金額を正確に算出するために入金優先処理を選択すると、入金された貨幣の繰り出し及び識別を経た後で釣銭が払い出されることから、レジ等において顧客を待たせる時間が長くなってしまう。他方、特許文献１における出金優先処理を選択することで、貨幣の出金処理を優先して行うことができ、顧客を待たせる時間を短くすることができる。しかしながら、出金優先処理を選択した場合には、レジ係等の操作者が顧客から預かった預かり金を数えて預かり金の金種別枚数（あるいは合計金額）を算出し、入力する必要があることから、釣銭金額に間違いが発生する可能性があり、違算の原因となってしまう。また、レジ係等の操作者による不正が発生するおそれもある。
【先行技術文献】
【特許文献】
【０００５】
【特許文献１】特許第４１２８２４４号
【発明の概要】
【発明が解決しようとする課題】
【０００６】
本発明は、このような課題に鑑みなされたものであり、違算が発生したり不正が発生したりする可能性を低く抑えつつ、顧客を待たせる時間を短くすることができる貨幣処理装置及び貨幣処理方法を提供する。
【課題を解決するための手段】
【０００７】
本発明は、貨幣処理装置であって、装置外に載置される貨幣の画像データを取得する撮像手段と、前記撮像手段によって取得された貨幣の画像データに基づいて当該貨幣の金額情報（合計金額、金種別枚数、等）を算出する算出手段と、前記画像データに基づいて算出された金額情報を記録する記録手段と、装置内に受け入れた貨幣を識別する識別手段を備え、前記記録手段に記録された金額情報と、前記識別手段による識別結果に基づいて特定される金額情報と、を比較する比較処理が行われるようになっており、前記記録手段に記録された金額情報と前記識別手段による識別結果に基づいて特定される金額情報とが合致しない場合の対応パターンが複数用意されて記憶されており、前記比較処理の結果、前記記録手段に記録された金額情報と前記識別手段による識別結果に基づいて特定される金額情報とが合致しない場合に、前記記憶された複数の対応パターンのうちの一つが選択されて、当該選択された対応パターンが実施されるようになっていることを特徴とする貨幣処理装置である。
【０００８】
本発明によれば、装置外に載置される貨幣の画像データを取得して金額情報を算出することにより、金額情報を早く決めることができる。加えて、画像データに基づいて算出された金額情報と、装置内に受け入れた貨幣を識別して特定した金額情報と、を比較することにより、貨幣が正しく貨幣処理装置内に受け入れられたか否か、確認できる。例えば、画像データに基づく預かり金額の金種別枚数あるいは合計金額について、識別手段による識別結果に基づく預かり金額の金種別枚数あるいは合計金額で確認することができるため、画像データにおいて生じ得るエラー（例えば貨幣が重なり合っていた場合等に生じ得る画像判別上のエラー）を適時に捕捉することができる。
【０００９】
そして、本発明によれば、前記記録手段に記録された金額情報と前記識別手段による識別結果に基づいて特定される金額情報とが合致しない場合の対応パターンが複数用意されて記憶されており、前記比較処理の結果、前記記録手段に記録された金額情報と前記識別手段による識別結果に基づいて特定される金額情報とが合致しない場合に、前記記憶された複数の対応パターンのうちの一つが選択されて、当該選択された対応パターンが実施されるようになっていることにより、店舗等の要望に合った柔軟な運用形態を常時実現することができる。
【００１０】
本発明において、前記記録手段に記録された金額情報の方が前記識別手段による識別結果に基づいて特定される金額情報よりも多い場合の対応パターンと、前記記録手段に記録された金額情報の方が前記識別手段による識別結果に基づいて特定される金額情報よりも少ない場合の対応パターンと、が異なっていることが好ましい。
【００１１】
この場合、更に、前記記録手段に記録された金額情報の方が前記識別手段による識別結果に基づいて特定される金額情報よりも多い場合の対応パターンは、貨幣の追加投入を促す処理を含むことが好ましい。
【００１２】
また、この場合、更に、前記記録手段に記録された金額情報の方が前記識別手段による識別結果に基づいて特定される金額情報よりも少ない場合の対応パターンは、過剰貨幣を出金する処理を含むことが好ましい。
【００１３】
また、本発明において、前記識別手段によってリジェクト貨幣と識別された貨幣が存在する場合の対応パターンと、前記識別手段によってリジェクト貨幣と識別された貨幣が存在しない場合の対応パターンと、が異なっていることが好ましい。
【００１４】
また、本発明において、繁忙時間帯の対応パターンと、閑散時間帯の対応パターンと、が異なっていることが好ましい。
【００１５】
また、本発明において、タイマー手段が設けられ、予め記憶される時間帯設定に基づいて、選択される対応パターンが異なっていることが好ましい。
【００１６】
また、本発明において、前記対応パターンのいずれか一つは、前記記録手段に記録された金額情報と前記識別手段による識別結果に基づいて特定される金額情報とが合致する場合の状態に復帰させる処理を含むことが好ましい。
【００１７】
また、本発明において、前記対応パターンのいずれか一つは、装置内に受け入れた前記貨幣を全て出金する処理を含むことが好ましい。
【００１８】
また、本発明において、前記対応パターンのいずれか一つは、警告情報を出力する処理を含むことが好ましい。
【００１９】
また、本発明は、撮像手段によって、装置外に載置される貨幣の画像データを取得する工程と、前記画像データに基づいて当該貨幣の金額情報を算出する工程と、算出された前記金額情報を記録する工程と、装置内に受け入れた貨幣を識別手段によって識別し、当該貨幣の金額情報を算出する工程と、前記記録手段に記録された金額情報と、前記識別手段による識別結果に基づいて算出された金額情報とを比較する工程と、を備え、前記比較工程の結果、前記記録手段に記録された金額情報と前記識別手段による識別結果に基づいて特定される金額情報とが合致しない場合に、予め用意された複数の対応パターンのうちの一つが選択されて、当該選択された対応パターンが実施されるようになっていることを特徴とする貨幣処理方法である。
【発明の効果】
【００２０】
本発明によれば、装置外に載置される貨幣の画像データを取得して金額情報を算出することにより、金額情報を早く決めることができる。加えて、画像データに基づいて算出された金額情報と、装置内に受け入れた貨幣を識別して特定した金額情報と、を比較することにより、貨幣が正しく貨幣処理装置内に受け入れられたか否か、確認できる。例えば、画像データに基づく預かり金額の金種別枚数あるいは合計金額について、識別手段による識別結果に基づく預かり金額の金種別枚数あるいは合計金額で確認することができるため、画像データにおいて生じ得るエラー（例えば貨幣が重なり合っていた場合等に生じ得る画像判別上のエラー）を適時に捕捉することができる。
【００２１】
そして、本発明によれば、前記記録手段に記録された金額情報と前記識別手段による識別結果に基づいて特定される金額情報とが合致しない場合の対応パターンが複数用意されて記憶されており、前記比較処理の結果、前記記録手段に記録された金額情報と前記識別手段による識別結果に基づいて特定される金額情報とが合致しない場合に、前記記憶された複数の対応パターンのうちの一つが選択されて、当該選択された対応パターンが実施されるようになっていることにより、店舗等の要望に合った柔軟な運用形態を常時実現することができる。
【図面の簡単な説明】
【００２２】
【図１】図１は、本発明の一実施の形態による貨幣処理システムの一部を示す斜視図である。
【図２】図２は、本発明の一実施の形態による貨幣処理システムの構成を示す概略構成図である。
【図３】図３は、本発明の一実施の形態による貨幣処理システムの構成を簡略化して示した制御ブロック図である。
【図４】図４は、本発明の一実施の形態による貨幣処理システムの構成を示した制御ブロック図である。
【図５】図５（ａ）は、本発明の一実施の形態で用いられる吟味台の第二部材が第一部材に対して閉状態となった際の斜視図であり、図５（ｂ）は、吟味台の第二部材が第一部材に対して開状態となった際の斜視図であり、図５（ｃ）は、図５（ａ）及び図５（ｂ）に示した態様とは異なる態様における吟味台を示した斜視図である。
【図６】図６（ａ）は、本発明の一実施の形態で用いられる吟味台の一例を示した平面図であり、図６（ｂ）は、本発明の一実施の形態で用いられる吟味台の別の例を示した平面図である。
【図７】図７は、本発明の一実施の形態で用いられる吟味台における第二部材及び第三部材の一例を示した平面図である。
【図８】図８は、本発明の一実施の形態で用いられる載置台を示した平面図である。
【図９】図９は、本発明の一実施の形態の表示部で表示される画像データの一例を示した図である。
【図１０】図１０は、本発明の一実施の形態の表示部で表示される画像データの別の例を示した図であり、異物が吟味台に載置されている態様を示した図である。
【図１１】図１１は、本発明の一実施の形態の登録表示部又は客側表示部で表示される表示画面の一例を示した図である。
【図１２】図１２は、本発明の一実施の形態の登録表示部又は客側表示部で表示される表示画面の別の例を示した図である。
【図１３】図１３は、本発明の一実施の形態の登録表示部又は客側表示部で表示される表示画面のさらに別の例を示した図である。
【図１４】図１４は、本発明の一実施の形態の表示部で表示されるアラーム表示の一例を示した図である。
【図１５】図１５（ａ）−図１５（ｄ）は、本発明の一実施の形態による貨幣処理システムを用いた貨幣処理方法の一例を示すための図であり、一連の作業を示した図である。
【図１６】図１６は、図１５（ａ）−図１５（ｄ）に対応する表示画面の例を示した図である。
【図１７】図１７（ａ）−図１７（ｄ）は、硬貨の計数例を示す表である。
【図１８】図１８は、処理フローの一例を示すフロー図である。
【発明を実施するための形態】
【００２３】
《構成》
以下、本発明に係る貨幣処理装置及び貨幣処理方法の一実施の形態について、図面を参照して説明する。ここで、図１乃至図１５は本発明の一実施の形態を説明するための図である。なお、本願において「貨幣」とは、「硬貨」、「紙幣」、又は、「硬貨」及び「紙幣」の両方、のことを意味する。したがって、本願の「貨幣処理装置」は、「硬貨処理装置１００」単体、「紙幣処理装置２００」単体、又は、「硬貨処理装置１００」及び「紙幣処理装置２００」の両方、のことを意味する。なお、以下では、貨幣処理装置が硬貨処理装置１００及び紙幣処理装置２００の両方を含む態様を用いて説明する。
【００２４】
本実施の形態の貨幣処理システムは、硬貨処理装置１００及び紙幣処理装置２００のいずれかに接続されたＰＯＳレジスタやテラーズマシン等の登録装置３００、パソコン、サーバ４００等を備えることができる（図１乃至図４参照）。硬貨処理装置１００及び紙幣処理装置２００は一体となっていてもよいし、各々が別体となっていてもよい。なお、外部装置とは、対象となっている装置以外の装置のことを意味し、例えば硬貨処理装置１００から見た場合には硬貨処理装置１００以外のあらゆる装置が外部装置に該当し、前述した例で言うと、紙幣処理装置２００、登録装置３００、パソコン、サーバ４００等が外部装置に該当する。また、紙幣処理装置２００から見た場合には紙幣処理装置２００以外のあらゆる装置が外部装置に該当し、前述した例で言うと、硬貨処理装置１００、登録装置３００、パソコン、サーバ４００等が外部装置に該当する。また、例えば硬貨処理装置１００及び紙幣処理装置２００を含む貨幣処理装置から見た場合には貨幣処理装置以外のあらゆる装置が外部装置に該当し、前述した例で言うと、登録装置３００、パソコン、サーバ４００等が外部装置に該当する。
【００２５】
本実施の形態では、硬貨処理装置１００、紙幣処理装置２００、登録装置３００及びサーバ（例えば店舗サーバ）４００を備えた貨幣処理システムを用いて説明する。
【００２６】
図２乃至図４に示すように、本実施の形態の登録装置３００はサーバ４００に通信接続されている。そして、登録装置３００からサーバ４００に売上金情報、紙幣の記番号等の情報が送信されるようになっている。また、各種設定情報等の情報が、サーバ４００から登録装置３００（複数台でも可）に配信されるようになっている。
【００２７】
図３及び図４に示すように、硬貨処理装置１００は、後述する操作表示部１５２を含む硬貨処理装置１００の一部や紙幣処理装置２００の一部等を制御する上位制御部１０１と、硬貨処理装置１００を制御する硬貨制御部１０２を有しており、これらの上位制御部１０１及び硬貨制御部１０２は通信接続されている。また、紙幣処理装置２００は、紙幣処理装置２００を制御する紙幣制御部２０２を有しており、この紙幣制御部２０２は硬貨処理装置１００の上位制御部１０１に通信接続されている。また、図４に示すように、登録装置３００は、登録装置３００を制御する登録制御部３０２を有しており、この登録装置３００の登録制御部３０２は硬貨処理装置１００の上位制御部１０１に通信接続されている。
【００２８】
そして、硬貨処理装置１００において硬貨の入金処理、出金処理、精査処理、回収処理等の様々な処理を行うと、硬貨処理装置１００の硬貨識別部１５０で識別された結果は硬貨処理装置１００から上位制御部１０１を介して登録装置３００に出力されて、当該結果が後述する登録表示部３５１で表示される。また、紙幣処理装置２００において紙幣の入金処理、出金処理、精査処理、回収処理等の様々な処理を行うと、紙幣処理装置２００の紙幣識別部２５０で識別された結果も紙幣処理装置２００から上位制御部１０１を介して登録装置３００に出力されて、当該結果が登録表示部３５１で表示される。
【００２９】
以下、硬貨処理装置１００、紙幣処理装置２００及び登録装置３００の構成について、説明する。
【００３０】
《硬貨処理装置１００》
まず、本実施の形態の硬貨処理装置１００の構成について説明する。ちなみに、本実施の形態の硬貨処理装置１００は、スーパー、コンビニエンスストア、ショッピングモール、百貨店等の様々な場所で利用され、硬貨の入出金処理を行う硬貨釣銭機となっている。
【００３１】
ところで、硬貨処理装置１００としてはこのような硬貨釣銭機には限られることはなく、例えば硬貨入金機、硬貨出金機、券売機、自動販売機等も含まれる。
【００３２】
図４に示すように、本実施の形態の硬貨処理装置１００の上位制御部１０１には、インターフェース１３２と、操作表示部１５２と、物理的なボタン等からなるボタン式操作部１５３と、様々な情報を記憶する上位記憶部１５５が接続されており、これらと信号の送受信を行い、これらを制御するように構成されている。また、硬貨制御部１０２には、後述する、インターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、硬貨が通過したことを検知する検知センサ１２４，１２５，１６４及び様々な情報を記憶する硬貨記憶部１０５等が接続されている。そして、上位制御部１０１は、操作表示部１５２、ボタン式操作部１５３及び上位記憶部１５５等と信号の送受信を行い、これらを制御するように構成されている。また、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６４及び硬貨記憶部１０５等と信号の送受信を行い、これらを制御するように構成されている。なお、以下の硬貨処理装置１００の説明において、硬貨処理装置１００の制御を主に硬貨制御部１０２が行う態様を用いるが、このような態様に限られることはなく、硬貨制御部１０２ではなく、上位制御部１０１、紙幣制御部２０２及び登録制御部３０２のいずれか１つ以上の制御部が硬貨処理装置１００の制御を行ってもよい。
【００３３】
本実施の形態の硬貨処理装置１００は、図２に示すように、硬貨筐体１０３と、硬貨を硬貨筐体１０３の外部から入金するための硬貨受入部１１０と、硬貨筐体１０３内に設けられ、硬貨を収納するとともに収納された硬貨を繰り出す硬貨収納部１６０と、硬貨筐体１０３内において、硬貨受入部１１０から投入された硬貨を１枚ずつ硬貨収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図１に示すように、硬貨筐体１０３の上面には、操作者が操作信号を入力したり操作者に所定の情報を表示したりするための操作表示部１５２が設けられている。本実施の形態の操作表示部１５２はタッチパネルとなっており、操作表示部１５２に直接触れることで、操作者が操作信号を入力することができる。なお、操作表示部１５２は液晶ディスプレイ（ＬＣＤ）等からなってもよい。また、硬貨受入部１１０は、図１に示すような開閉自在のシャッター１１５を有してもよい。
【００３４】
図２に示すように、入金経路には、後述する金種別硬貨収納部１６１（つまり金種別硬貨収納部１６１ａ〜１６１ｆ）の各々に対応した検知センサ１２５と、当該検知センサ１２５からの情報を受けて各金種別硬貨収納部１６１に対応する金種の硬貨を振り分ける複数（本実施の形態では６つ）の入金振分部１２７が設けられている。各検知センサ１２５は、対応する金種別硬貨収納部１６１の上流位置に対応して設けられている。
【００３５】
また、図２に示すように、硬貨識別部１５０の下流位置であって硬貨収納部１６０の上流位置には、硬貨識別部１５０で金種等を識別することができなかった硬貨をリジェクト硬貨として振り分けるためのリジェクト振分部１２９が設けられている。本実施の形態では、図２に示すように、リジェクト振分部１２９は、硬貨識別部１５０の下流側であって入金振分部１２７の上流側に位置している。
【００３６】
図２に示すように、リジェクト振分部１２９の直前の上流位置には検知センサ１２４が設けられている。そして、硬貨識別部１５０でリジェクト硬貨であると判断され、かつ、検知センサ１２４から硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、リジェクト振分部１２９が開状態となって当該リジェクト振分部１２９に取り込まれることで、硬貨は入金経路から外れ、リジェクト搬送経路（図示せず）を落下した後、後述する出金硬貨搬送部１８０によって硬貨払出部１９０まで送られることとなる。
【００３７】
図２に示すように、本実施の形態の硬貨処理装置１００は、硬貨収納部１６０から繰り出された硬貨を出金経路に沿って搬送する出金硬貨搬送部１８０と、出金経路に繰り出されて出金硬貨搬送部１８０で搬送された硬貨を出金する硬貨払出部１９０も備えている。
【００３８】
本実施の形態の硬貨収納部１６０は、金種別に硬貨を収納する複数（本実施の形態では６つ）の金種別硬貨収納部１６１を有しており、各金種別硬貨収納部１６１が水平方向で並列に配置されている。金種別硬貨収納部１６１は、図２の下から順番に、５００円硬貨、１００円硬貨、５０円硬貨、１０円硬貨、５円硬貨及び１円硬貨を収納するようになっている。
【００３９】
なお、金種別硬貨収納部１６１の各々は、硬貨を収納する金種別繰出収納庫と、金種別繰出収納庫内に収納された硬貨を出金経路に繰り出すための繰出部（図示せず）と、所定枚数の硬貨が繰り出された際にそれ以上の硬貨が繰り出されないように硬貨の繰り出しをストップさせるためのストッパ（図示せず）と、を有している。また、金種別硬貨収納部１６１の各々には、金種別繰出収納庫から繰出部で繰り出される硬貨の枚数を検知する検知センサ１６４（図４参照）が設けられている。
【００４０】
本実施の形態では、硬貨処理装置１００の各金種に関する在高は、対象となる金種別硬貨繰出収納部１６１に収納された硬貨の枚数から当該金種別硬貨繰出収納部１６１から繰り出された硬貨の枚数を差し引くことで算出可能となる。金種別硬貨繰出収納部１６１に収納された硬貨の枚数を算出する際には、具体的には、各金種別硬貨繰出収納部１６１に対応して設けられた入金振分部１２７の上流位置の検知センサ１２５で硬貨の通過が確認されたが当該入金振分部１２７の下流位置の検知センサ１２５で硬貨の通過が確認されなかった場合には、当該入金振分部１２７で硬貨が取り込まれて、当該入金振分部１２７に対応する金種別硬貨繰出収納部１６１に硬貨が収納されたと判断されて算出される。ただし、最も下流側に位置する金種別硬貨繰出収納部１６１ｆに関しては、当該金種別硬貨繰出収納部１６１ｆの直前に位置する検知センサ１２５を通過した硬貨の枚数が当該金種別硬貨繰出収納部１６１ｆに収納された硬貨の枚数となる。他方、各金種別硬貨繰出収納部１６１から繰り出された硬貨の枚数は検知センサ１６４からの情報に基づいて算出される。
【００４１】
本実施の形態では、硬貨受入部１１０の近傍（図１に示す態様では硬貨筐体１０３の上面）に硬貨を載置するための載置部１０に含まれる吟味台１４ａが設けられている。そして、吟味台１４ａに載置された硬貨の画像データを取得するためのカメラ等からなる撮像部５０が設けられている。図１に示す態様では、撮像部５０は硬貨筐体１０３の奥行き側に配置されているが、当然、これに限られることはなく、撮像部５０は吟味台１４ａに載置された硬貨の画像データを取得することができる位置であればどのような場所に配置されてもよく、例えば、登録装置３００の一種であるＰＯＳレジスタの近辺に設置されたポール等に取り付けてもよい。
【００４２】
本実施の形態では、吟味台１４ａは、硬貨筐体１０３の上面に設けられており、吟味台１４ａの載置面は硬貨受入部１１０よりも上方位置に位置づけられている。そして、吟味台１４ａと硬貨受入部１１０との間には、吟味台１４ａに載置された硬貨を硬貨受入部１１０へと導くためのシュート２０が設けられている。吟味台１４ａの載置面に載置された硬貨はレジ係等の操作者が手でシュート２０に送り込むようになっていてもよいが、吟味台１４ａの載置面がベルトコンベア等の搬送機構１６（図４参照）になっていたり、吟味台１４ａの載置面上でシュート２０に向かう方向で進退したり吟味台１４ａの載置面上で一定の角度で回転運動したりするワイパー等の押出部６０（図４参照）が設けられて、画像データに基づいて算出された硬貨の合計金額について確定処理が行われると、搬送機構１６や押出部６０が駆動されることで、吟味台１４ａの載置面に載置された硬貨がシュート２０へ送られるようになっていてもよい。
【００４３】
本実施の形態の吟味台１４ａは、図５（ａ）（ｂ）に示すように、吟味台１４ａ上に載置される硬貨を互いに離間させた状態に区分けするための区分け部１５を有している。なお、このような区分け部１５が設けられていることは必須ではなく、図５（ｃ）に示すように、吟味台１４ａは一般的に用いられている平坦な皿状となっていてもよい。
【００４４】
区分け部１５の構造としては様々なものを挙げることができるが、一例としては、図５（ａ）（ｂ）及び図６（ｂ）に示すように、吟味台１４ａの載置面に設けられ、載置面に沿って形成される多角形状又は円形状の区画を画定する突出壁（いわゆるリブ）を挙げることができる。また、別の例としては、図６（ａ）に示すように、吟味台１４ａの載置面に設けられ、載置面に沿って形成される所定の区画の頂点に位置する複数の突起部を挙げることができる。なお、載置面に沿って形成される多角形状としては、図５（ａ）（ｂ）に示すような略正方形であってもよいが、図６（ｂ）に示すようにハニカム構造となっていてもよく、様々な形状が考えられる。また、区画を画定する突出壁と区画の頂点に位置する突起部とを組み合わせて採用することもできる。
【００４５】
前述した「区画」の大きさとしては、取扱い対象とする硬貨のうち最大径の硬貨の直径よりも大きく取扱い対象とする硬貨のうち最小径の硬貨の直径の２倍よりも小さくなっている態様を採用することができる。本願において「取扱い対象とする硬貨」とは、例えば硬貨識別部１５０によって識別可能な硬貨のことを意味する。かりに日本円しか硬貨識別部１５０で識別できないとすると、１円硬貨（最小径の硬貨）の直径は約２ｃｍであり、５００円硬貨（最大径の硬貨）の直径は約２．６５ｃｍであることから、「区画」の大きさは、２．６５ｃｍよりも大きく４ｃｍよりも小さくなるように設定される。ところで、円形状の区画を画定する突出壁を採用した場合には、当該円形状の直径を、取扱い対象とする硬貨のうち最大径の硬貨の直径（日本円の場合だと２．６５ｃｍ）よりも大きくし、取扱い対象とする硬貨のうち最小径の硬貨の直径の２倍（日本円の場合だと４ｃｍ）よりも小さくしてもよい。
【００４６】
また、区分け部１５の厚み（高さ）は、取扱い対象とする硬貨のうち最も厚みの薄い硬貨の厚みよりも薄くなっていてもよい。かりに日本円しか硬貨識別部１５０で識別できないとすると、１円硬貨、５円硬貨及び１０円硬貨の厚みが最も厚みの薄い硬貨であり、その厚さが約１．５ｍｍである。このため、この場合には、区分け部１５の厚み（高さ）を１．５ｍｍよりも薄くし、例えば１ｍｍとしてやればよい。
【００４７】
吟味台１４ａは、図５（ａ）（ｂ）で示すように、区分け部１５を有する第一部材１１と、第一部材１１の下方に設けられるとともに第一部材１１に対して開閉可能な底板部である第二部材１２と、を有していてもよい。第二部材１２は第一部材１１の底板としての役割を果たしており、第二部材１２が第一部材１１に対して開状態となると、区分け部１５の区画内に収容されていた硬貨等が下方に落下することとなる。本実施の形態では、図５（ｂ）に示すように、第二部材１２が第一部材１１に対して下方に揺動可能となっており、第二部材１２が第一部材１１に対して下方に揺動すると、区分け部１５の区画内に収容されていた硬貨等が下方に落下することとなる。但し、これに限られることはなく、例えば第二部材１２が第一部材１１に対してスライド可能となっており、第二部材１２が第一部材１１に対してスライドすることで、区分け部１５の区画内に収容されていた硬貨等が下方に落下するようになっていてもよい。なおこのように、吟味台１４ａが第一部材１１及び第二部材１２を有している場合には、前述したシュート２０は吟味台１４ａの下方に位置付けられることとなる。そして、第二部材１２が第一部材１１に対して開状態となると、区分け部１５の区画内に収容されていた硬貨がシュート２０上に落下し、そのまま硬貨受入部１１０に案内されることとなる。また、第二部材１２の第一部材１１に対する開閉は手動で行われてもよいが自動で行われてもよい。第二部材１２の第一部材１１に対する開閉が自動で行われる場合には、画像データに基づいて算出された硬貨の合計金額について確定処理が行われると、第二部材１２が第一部材１１に対して自動で開状態となり、その後、自動で閉状態に戻ることになっていてもよい。
【００４８】
ところで、本実施の形態のように第二部材１２が第一部材１１に対して開状態となる態様を採用した場合には、画像データに基づいて硬貨の確定処理をした後で区分け部１５から硬貨受入部１１０へ硬貨を移動させる際に、区分け部１５によって硬貨の移動が邪魔されることがない点でも有益である。つまり、吟味台１４ａが区分け部１５を有する態様では、吟味台１４ａ上の硬貨を載置面に沿って移動させてシュート２０等の上に移動させようとしても、区分け部１５が邪魔になってしまう。この点、第二部材１２が第一部材１１に対して開状態となる場合には、区分け部１５内の硬貨がそのまま落下するので、区分け部１５が邪魔になってしまう可能性を低減することができる。
【００４９】
また、前述した第二部材１２に関しては、図７に示すように、当該第二部材１２にゴミ抜き穴１２ａが形成されていてもよい。このゴミ抜き穴１２ａの大きさは取扱い対象とする硬貨のうち最小径の硬貨の直径よりも小さい大きさとなっており、最小径の硬貨がゴミ抜き穴１２ａから落下しないようになっている。なお、第二部材１２の構造としては、例えば図７に示すように網目構造となっているものを挙げることができるが、所定の箇所に複数のゴミ抜き穴１２ａが形成されているような態様であってもよい。
【００５０】
また、このように第二部材１２にゴミ抜き穴１２ａが形成されている態様においては、図７に示すように、第二部材１２の下方に、当該第二部材１２に対して取り外し自在又は開閉自在となった第三部材１３が設けられていてもよい。この第三部材１３は、ゴミ抜き穴１２ａから落下した少なくともゴミを収容するゴミ収容部１３ａを有しており、ゴミを収集する機能を果たす。ちなみに、第三部材１３は第一部材１１及び第二部材１２から分離されており、第一部材１１及び第二部材１２の下方に載置されていてもよい。また、第三部材１３が第二部材１２に対して開閉自在となっている場合には、例えば第二部材１２が第一部材１１に対して取り外し自在となっており、第二部材１２及び第三部材１３を一体として第一部材１１から取り外せるようにしてもよい。
【００５１】
本実施の形態では、上位制御部１０１が、撮像部５０で取得された、吟味台１４ａに載置された硬貨の画像データに基づいて、顧客が支払った硬貨の合計金額を算出するようになっている（図９参照）。そして、上位制御部１０１は、上位制御部１０１が算出した硬貨の合計金額（図９に示す態様では６００円）と後述する紙幣制御部２０２で算出された紙幣の合計金額とを足し合わせて預かり金額を算出し、当該預かり金額と後述する登録装置３００等から入力された売上金額とから釣銭金額を算出する。なお、本実施の形態では撮像部５０が上位制御部１０１に接続された態様を用いて説明するが、これに限られることはなく、例えば登録装置３００の登録制御部３０２に撮像部５０が接続されてもよい。
【００５２】
上位制御部１０１は、撮像部５０で取得された画像データに基づいて、各硬貨の金種を判別するようになっていてもよい（図９参照）。より具体的には、上位制御部１０１は、硬貨の色、硬貨の中央部に穴が空いているか否か、硬貨の大きさ等に基づいて、画像データ中の硬貨の各々の金種を判別してもよい。また、硬貨の両面の模様を上位記憶部１５５等が記憶しており、上位制御部１０１は、上位記憶部１５５等で記憶されている模様と画像データ中の模様とを比較することで、画像データ中の硬貨の各々の金種を判別してもよい。そして、上位制御部１０１は、判別した金種を合計することで硬貨の合計金額を算出することになる。なお、図９に示す態様では、５００円硬貨（図９の左側に示された硬貨）を円形状の枠で囲むとともに、５００円硬貨の近辺に「５００」という数値が表示されている。同様に、１００円硬貨（図９の右側に示された硬貨）を円形状の枠で囲むとともに、１００円硬貨の近辺に「１００」という数値が表示されている。そして、画像データの右下には、これらの合計金額である「６００ｙｅｎ」が表示されている。
【００５３】
撮像部５０ではリアルタイムで画像データが取得されている。そして、上位制御部１０１は、撮像部５０によりリアルタイムで取得される画像データに基づいて、画像データ内の硬貨の金種をリアルタイムで判別し、判別結果に基づく情報を登録装置３００の登録表示部３５１及び／又は客側表示部３５６にリアルタイムで出力している。なお、客側表示部３５６は図１に示すような小型のものでもよいが、登録表示部３５１と同程度の大きさからなるような大型のものでもよい。客側表示部３５６が小型のものである場合には、売上金額、預かり金額及び釣銭金額等の取引情報が優先されて表示される。また、可能な場合には、客側表示部３５６には取引情報に加えて、画像データや画像に映し出された硬貨の金種の判別結果（図９における「５００」や「１００」の数値）が表示されてもよい。
【００５４】
なお、後述するアラーム表示等は画像データに重ね合わせて表示されてもよい。ちなみに、客側表示部３５６は単に情報を表示するだけのものであってもよいが、タッチパネル等からなり、所定の入力を行うことができるようになっていてもよい。
【００５５】
ところで、本願の「リアルタイム」には多少のタイムラグがある場合も含まれ、仮に数秒〜１０秒未満（典型的には数秒）の遅れがあっても含まれる概念である。
【００５６】
判別結果に基づく情報は、画像データ、当該画像データに映っている硬貨の金種、画像データに映っている硬貨の合計金額、画像データに映っている硬貨の金種別枚数等が含まれていてもよい。登録装置３００の登録表示部３５１及び／又は客側表示部３５６では、判別結果に基づく情報に含まれている画像データ、当該画像データに映っている硬貨の金種、画像データに映っている硬貨の合計金額、画像データに映っている硬貨の金種別枚数等がリアルタイムで表示される。このため、顧客が吟味台１４ａに硬貨を足したり硬貨を取り除いたりすると、硬貨が足されたことや硬貨が取り除かれたこともリアルタイムで反映されて、登録装置３００の登録表示部３５１及び／又は客側表示部３５６では、画像データに映っている硬貨の金種、硬貨の合計金額、硬貨の金種別枚数等がリアルタイムで変化する。図９に示す態様では、登録表示部３５１及び／又は客側表示部３５６において、画像データ、当該画像データに映っている硬貨の金種である１００円及び５００円、画像データに映っている硬貨の合計金額である６００円がリアルタイムで表示されている。図１１に示す態様では、登録表示部３５１及び／又は客側表示部３５６において、画像データ、当該画像データに映っている硬貨の金種である１００円及び５００円、画像データに映っている硬貨の合計金額である６００円、硬貨の金種別枚数（５００円硬貨が１枚及び１００円硬貨が１枚）がリアルタイムで表示されている。なお、図１１に示す態様では、後述する紙幣処理装置２００の紙幣識別部２５０で計数された結果である３３０００円（図１１では「釣銭機投入額」として示されている。）、売上金額である３３５５５円（図１１では「現金お支払い金額」として示されている。）、預かり金額の合計金額である３３６００円（図１１では「現金お預かり金額」として示されている。）、釣銭金額である４５円（図１１では「おつり」として示されている。）と、後述する異物に関する情報（図１１では「異物有り：取り除いてください」というメッセージ）も表示されている。
【００５７】
ちなみに、撮像部５０で画像データが常時取得されている必要はなく、例えば売上金額が確定した時点で撮像部５０によって画像データが取得され始め、取引の確定処理を行った時点で撮像部５０による画像データの取得が終了してもよい。このような態様によれば、無駄な画像データが記憶されることを防止することができる。
【００５８】
また、本実施の形態では、撮像部５０で取得された画像データがリアルタイムで取得されて、登録表示部３５１及び／又は客側表示部３５６で表示される態様を用いて説明するが、これに限られることはない。例えば、一定の間隔毎に断続的に画像データを取得するようにしてもよいし、また、操作者が後述する登録操作部３５２等から所定の入力（オン信号の入力）を行うことで撮像部５０において画像が取得され始め、操作者が登録操作部３５２等から所定の入力（オフ信号の入力）を行うことで撮像部５０における画像の取得が停止されてもよい。
【００５９】
また、上位制御部１０１は、硬貨の画像データに基づいて硬貨の合計金額を算出し、硬貨の合計金額と紙幣の合計金額から預かり金額を算出し、当該預かり金額に基づいて入力された売上金額に対する釣銭金額又は不足金額を算出してもよい。この場合にも、リアルタイムで釣銭金額又は不足金額が登録装置３００の登録表示部３５１及び／又は客側表示部３５６で表示されてもよい。このような態様によれば、釣銭金額又は不足金額に基づいて、顧客は硬貨を吟味台１４ａに追加したり硬貨を吟味台１４ａから取り除いたりすることができる。なお、図１１における「おつり」（釣銭金額）はリアルタイムで変化するようになっており、仮に５円硬貨を吟味台１４ａ上に載置すると「おつり」は「５０円」となり、他方、仮に１００円硬貨を吟味台１４ａから取り除くと「おつり」は「−５５円」となり不足金額が表示されることとなる。なお、このように不足金額が表示される際には、「おつり」という表示ではなく「不足金額」といった預かり金額が不足していることを示す表示に切り替わってもよいし、赤色等の通常とは異なる色（強調色）で不足金額が表示されてもよい。
【００６０】
また、上位制御部１０１は、後述する登録操作部３５２等から入力された売上金額に基づいて吟味台１４ａに余分な硬貨が載置されているか否かをリアルタイムで判断してもよい。売上金額に基づいて吟味台１４ａに余分な硬貨が載置されている場合には、登録装置３００の登録表示部３５１及び／又は客側表示部３５６で余分な硬貨が吟味台１４ａに載置されていることがリアルタイムで表示され、一例としては余分な硬貨を円形状や四角形状等の所定の形状で取り囲むとともに、余分である旨を表示してもよい。ちなみに、売上金額に基づいて吟味台１４ａに余分な硬貨が載置されている場合というのは、売上金額が１１０円であるにも関わらず、吟味台１４ａに１枚の５００円硬貨と２枚の１０円硬貨が載置されているような場合であり、このときには１枚の１０円硬貨が余分な硬貨となる。
【００６１】
すなわち、吟味台１４ａに載置された硬貨のうち、釣銭として払い出されうる硬貨が含まれている場合には、売上金額に基づいて吟味台１４ａに余分な硬貨が載置されていると判断されることになる。なお、前述した登録操作部３５２は、商品に印刷されたり貼り付けられたりしているバーコード情報を読み取るバーコードリーダを含んでいる。
【００６２】
また、吟味台１４ａ上で硬貨が重なって配置されている場合には、登録装置３００の登録表示部３５１、客側表示部３５６等の報知部でその旨が報知されてもよい。この場合には、硬貨が重なっている旨のメッセージが登録装置３００の登録表示部３５１、客側表示部３５６等で表示されてもよいし、登録装置３００の登録表示部３５１、客側表示部３５６等で硬貨が重なっている箇所が所定の形状で囲まれて表示されてもよい。
【００６３】
前述したように、撮像部５０ではリアルタイムで画像が取得されているが、登録装置３００の登録操作部３５２等で確定処理する際には、撮像部５０で取得された画像データが静止画として上位記憶部１５５に記憶されてもよい。このように上位記憶部１５５で記憶された静止画は、周期的に又は取引が確定される度に、登録装置３００を介してサーバ４００へと送られ、サーバ４００のサーバ記憶部４０５（図４参照）で記憶されて管理されてもよい。なお、画像データの静止画は、取引日時、レジ番号、担当者、購入商品、売上金額、預かり金額、釣銭金額等の取引情報と関連付けされて、上位記憶部１５５やサーバ記憶部４０５等で記憶される。なお、一定の期間（例えば２４時間以内）であれば、撮像部５０で撮像された動画も上位記憶部１５５やサーバ記憶部４０５で記憶されていてもよい。この場合には、動画を用いて画像データに基づく硬貨の合計金額の算出経過を後で確認することができる。
【００６４】
上位制御部１０１は、撮像部５０で取得された画像データに基づいて、硬貨以外の異物（例えば、ゴミ、クリップ、レシート、硬貨識別部１５０で識別できない外国硬貨等）をリアルタイムで検出するようになっていてもよい（図１０参照）。そして、上位制御部１０１は、このように画像データに基づいて異物が検出された場合には、異物に関する情報を出力してもよい。異物に関する情報には、異物が存在する旨の情報だけではなく、異物が存在する場所、異物の大きさ、異物の種類に関する情報が含まれてもよい。ところで、汚損が激しい硬貨や変形してしまった硬貨等も異物として検出される。
【００６５】
上位制御部１０１から異物に関する情報が出力されると、異物が吟味台１４ａに載っていることが登録装置３００の登録表示部３５１及び／又は客側表示部３５６で表示される。このように異物が吟味台１４ａに載っていることを表示する際には、メッセージが表示されてもよいし、異物の箇所が円形状や四角形状等の所定の形状で取り囲まれて登録装置３００の登録表示部３５１及び／又は客側表示部３５６で表示されるようにしてもよい。
【００６６】
なお、図１０に示す態様では、「異物有り」というメッセージが表示されるだけではなく、異物と判断された箇所が四角で囲まれている。また、異物の種類、例えば、ゴミ、クリップ、レシート、硬貨識別部１５０で識別できない外国硬貨等の種別が登録装置３００の登録表示部３５１及び／又は客側表示部３５６で表示されてもよい。また、撮像部５０で画像データを取得する際に用いられる撮像用の照明が設けられている場合には、当該照明の色が通常の場合から変化したり点滅したりする等して、異物が吟味台１４ａに載置されていることが報知されてもよい。ちなみに、このような撮像用の照明を採用した場合には、画像データ上での硬貨の輪郭を明確に読み取ることができる点で有益である。また、この撮像用の照明は、撮像部５０で画像データを取得している間だけ点灯し、それ以外のときには消えていてもよい。
【００６７】
なお、画像データから異物が存在していると判断されている間は、画像データに基づいて算出された硬貨の合計金額について確定処理を受け付けないようにしてもよい。この場合には、吟味台１４ａから当該異物が除去された時点で、画像データに基づいて算出された硬貨の合計金額について確定処理が受け付けられることとなる。ちなみに、画像データから異物が存在していると判断されている間であっても、強制的に確定処理を行うことができるようにしてもよい。
【００６８】
前述したように汚損が激しい硬貨や変形してしまった硬貨等も異物として検出されることとなるが、このような事態に備えて、登録操作部３５２や操作表示部１５２から所定の入力（例えば加算許可入力）を行うことで、画像データに基づいて算出された硬貨の合計金額に、登録操作部３５２や操作表示部１５２から手入力した金種別枚数や合計金額を加算したものを硬貨の総合計金額として算出できるようにしてもよい。また、このような態様に限られることはなく、登録操作部３５２や操作表示部１５２から所定の入力（例えば加算許可入力）を行うことで、画像データに基づいて算出された硬貨の合計金額に、硬貨識別部１５０による識別結果に基づいて算出された硬貨の合計金額を加算したものを硬貨の総合計金額として算出できるようにしてもよい。この場合には、汚損が激しい硬貨や変形してしまった硬貨をとりあえず硬貨処理装置１００の硬貨受入部１１０内に投入し、硬貨識別部１５０で識別不可能としてリジェクトされた場合には、当該硬貨の金種別枚数や合計金額を手入力するようにしてもよい。
【００６９】
ちなみに、図１２に示す態様では、登録表示部３５１及び／又は客側表示部３５６において、手入力された金額が「手入力預かり額」として示されており、その金額は１００円となっている。また、図１３に示す態様では、登録表示部３５１及び／又は客側表示部３５６において、硬貨識別部１５０による識別結果に基づいて算出された硬貨の合計金額が「機械計数」として示されており、その金額は３００円となっている。
【００７０】
硬貨制御部１０２は、硬貨識別部１５０による識別結果に基づいて硬貨受入部１１０で受け入れられた硬貨の合計金額を算出するようになっていてもよい。そして、撮像部５０で取得された画像データに基づいて算出された硬貨の合計金額と、硬貨識別部１５０による識別結果に基づいて算出された合計金額とを比較するようになっていてもよい。この場合には、撮像部５０で取得された画像データに基づいて算出された硬貨の合計金額と、硬貨識別部１５０による識別結果に基づいて算出された合計金額とが合致しない場合には、上位制御部１０１がその旨を出力するようにしてもよい。このように出力された情報に基づいて、登録表示部３５１に、撮像部５０で取得された画像データに基づいて算出された硬貨の合計金額と硬貨識別部１５０による識別結果に基づいて算出された合計金額とが合致しないことが表示（例えばアラーム表示）されてもよい（図１４参照）。図１４に示す態様では、金額が合致していない旨のメッセージ（「金額不一致が発生しています。」及び「入金貨幣を確認して下さい。」というメッセージ）、画像データに基づいて算出された硬貨の合計金額、硬貨識別部１５０による識別結果に基づいて算出された合計金額、及び、画像データに基づいて算出された硬貨の合計金額と硬貨識別部１５０による識別結果に基づいて算出された合計金額との差分が示されている。
【００７１】
なお、前述した登録装置３００の登録表示部３５１及び客側表示部３５６は、所定の情報を報知する報知部に含まれている。この報知部は、登録装置３００の登録表示部３５１及び客側表示部３５６のように視覚を通じて情報を報知するものだけではなく、音等の聴覚を通じて情報を報知するものも含まれてもよい。この場合には、登録装置３００の登録表示部３５１又は客側表示部３５６で表示されるあらゆる情報を音声で報知することもできる。一例として、報知部は、撮像部５０で取得された画像データに基づいて算出された硬貨の合計金額と硬貨識別部１５０による識別結果に基づいて算出された合計金額とが合致しないこと、画像データに基づいて算出された硬貨の合計金額、硬貨識別部１５０による識別結果に基づいて算出された合計金額、及び、画像データに基づいて算出された硬貨の合計金額と硬貨識別部１５０による識別結果に基づいて算出された合計金額との差分の各々を音声で報知してもよい。
【００７２】
前述のように撮像部５０で取得された画像データに基づいて算出された硬貨の合計金額と硬貨識別部１５０による識別結果に基づいて算出された合計金額とが合致しない場合には、硬貨識別部１５０による識別結果に基づいて算出された合計金額が正しく撮像部５０で取得された画像データに基づいて算出された硬貨の合計金額が誤っていたものとして、逆に、撮像部５０で取得された画像データに基づいて算出された硬貨の合計金額が正しく硬貨識別部１５０による識別結果に基づいて算出された合計金額が誤っていたものとして、判断されて処理されてもよい。この場合には、撮像部５０で取得された画像データに基づいて算出された硬貨の合計金額及び硬貨識別部１５０による識別結果に基づいて算出された合計金額と、どちらを「正」として処理したかが登録記憶部３０５やサーバ記憶部４０５に記憶されてもよい。
【００７３】
また、撮像部５０で取得された画像データに基づいて算出された硬貨の合計金額と硬貨識別部１５０による識別結果に基づいて算出された合計金額とが合致しない場合には、硬貨処理装置１００で受け入れられた硬貨の全てを硬貨払出部１９０から返却するようにしてもよい。このような態様を採用することで、硬貨識別部１５０による識別結果に基づいて算出された合計金額が正しかったかを操作者が確認することができる。また、撮像部５０で取得された画像データに基づいて算出された硬貨の合計金額と硬貨識別部１５０による識別結果に基づいて算出された合計金額とが合致しない場合には、上位制御部１０１が上位記憶部１５５又はサーバ記憶部４０５に記憶された当該取引の画像データを読み出し、当該画像データを登録装置３００の登録表示部３５１に表示させてもよい。このような態様を採用することで、画像データに基づいて算出された合計金額が正しかったかを操作者が確認することができる。
【００７４】
また、前述のように撮像部５０で取得された画像データに基づいて算出された硬貨の合計金額と硬貨識別部１５０による識別結果に基づいて算出された合計金額とが合致しない場合には、撮像部５０で取得された画像データに基づいて算出された硬貨の合計金額又は硬貨識別部１５０による識別結果に基づいて算出された合計金額のいずれかが修正されるか、強制終了されるまでは、新規の取引を受け付けないようにしてもよい。
【００７５】
ところで、画像データに基づいて算出された硬貨の合計金額について確定処理がなされることなく硬貨が硬貨処理装置１００の硬貨受入部１１０で受け入れられたときには、画像データに基づいて硬貨の合計金額を算出することなく、硬貨処理装置１００の硬貨識別部１５０による識別結果に基づいて算出された合計金額のみを用いて取引を行うようにしてもよい。ちなみに、このように画像データに基づいて算出された硬貨の合計金額について確定処理がなされない場合としては、硬貨の枚数がかなり多いことから吟味台１４ａ上に硬貨を分離して配置するのに時間がかかってしまう場合や画像データによる硬貨の合計金額の算出に対して精度上多少の不安がある場合、誤って操作者が硬貨受入部１１０内に硬貨を投入してしまった場合、撮像部５０の不具合等でそもそも画像データを取得できない場合、何らしかの不具合で画像データに基づいて各硬貨の金種を正確に識別できていない場合等を挙げることができる。
【００７６】
前記では、撮像部５０で取得された画像データに基づいて吟味台１４ａ上の硬貨の合計金額を算出し、最終的には釣銭金額を算出する態様について説明したが、これに限られることはない。撮像部５０で取得された画像データに基づいて吟味台１４ａ上の硬貨の合計金額を算出し、当該合計金額を利用してＩＣカードや携帯電話等に対する電子マネーのチャージを行うようにしてもよい。ちなみに、吟味台１４ａにカードリーダ１７ａやカードリーダライタ１７ｂが組み込まれていてもよく（図４参照）、吟味台１４ａにＩＣカードや携帯電話等を載置することで、電子マネーによって支払いができるようにしてもよいし、ＩＣカードや携帯電話等に電子マネーのチャージを行うことができるようにしてもよい。
【００７７】
前記では、カメラ等からなる撮像部５０が硬貨筐体１０３の上面に載置されている態様を用いて説明したが、これに限られることはない。例えば、吟味台１４ａの載置面が透明になっている態様を採用した場合には、撮像部５０を吟味台１４ａの下方に載置し、透明な載置面を介して、吟味台１４ａ上に載置された硬貨の画像データを取得するようにしてもよい。また、シュート２０の途中にライン状のイメージセンサ（ラインセンサ）等からなる撮像部５０を載置し、シュート２０に沿って落下する硬貨の画像データを取得するようにしてもよい。
【００７８】
また、前述した吟味台１４ａは必ずしも必要ではなく、カウンターのテーブル、登録装置３００の置き台等の載置台１４ｂ（図８参照）に硬貨を載置するようにし、撮像部５０は当該載置台１４ｂ上に載置された硬貨の画像データを取得するようにしてもよい。なお、このようにカウンターのテーブル等に硬貨を載置する場合には、撮像部５０で撮像可能な位置であり硬貨を載置すべき場所をシール、プリント、光線等によって分かるようにしてもよい。なお、カウンターのテーブル等のうち硬貨を載置すべき箇所は、顧客及びレジ係等の操作者の両者の手が届く箇所であって、視認できる箇所であることが望ましい。ちなみに、登録装置３００の置き台は登録操作部３５２の手前に位置していることが一般的である。ちなみに、吟味台１４ａ及び載置台１４ｂの両方が載置部１０に含まれている。
【００７９】
吟味台１４ａ、載置台１４ｂ等の載置部１０の載置面はＬＣＤ等の表示画面１８（図４参照）となっていてもよい。このような態様を採用した場合には、撮像部５０が撮像する際に表示画面１８を発光させることでコントラストを高めることができ、硬貨の認識レベルを向上させることができる。また、異物を検出した際には異物の場所を表示画面１８で直接示したり、異物の載置されている場所を異なる色で表示したり点滅させたりすることもできる。また、売上金額に基づいて載置部１０に余分な硬貨が載置されている場合には、余分な硬貨の場所を表示画面１８で直接示したり、余分な硬貨の載置されている場所を異なる色で表示したり点滅させたりしてもよい。また、前記で登録表示部３５１及び／又は客側表示部３５６で表示されるとした情報（例えば、売上金額、画像データに基づいて算出された硬貨の合計金額、釣銭金額、不足金額等を含む。）を表示画面１８上で直接表示してもよい。一般に顧客の視線は硬貨を載置した場所を向くことから、このような態様を採用した場合には、顧客は載置部１０に載置した硬貨に関する情報を容易に取得することができる点で有益である。また、載置部１０自体に表示機能を持たせなくても、載置部１０の近傍位置にプロジェクタ等の投影装置を配置して、各種情報を載置部１０に映し出すようにしてもよい。このような態様を採用した場合には、カウンターのテーブルが載置部１０を構成する場合でも、テーブル内に表示機器を埋め込んだり配線をつないだりする必要がなくなる点で有益である。
【００８０】
吟味台１４ａ及び載置台１４ｂに関して述べたことは、当然のことながら、硬貨だけではなく紙幣にも採用することができる。
【００８１】
ところで、前述した態様とは異なり、硬貨受入部１１０に直接硬貨を載置し、当該硬貨の画像データを撮像部５０で取得するようにしてもよい。この場合には、硬貨受入部１１０は比較的大型になっており、硬貨受入部１１０に投入された各硬貨を分離できるようになっていることが望ましい。
【００８２】
また、硬貨処理装置１００とは全く別の場所で、硬貨の画像データを取得するようにしてもよい。この場合には、複数の撮像部５０に対して１台の硬貨処理装置１００が設置されるようにしてもよく、硬貨処理装置１００をあくまでも硬貨の金種別枚数を再確認したり硬貨を保管したりするために用い、撮像部５０で撮像された画像データに基づいて、一般的な取引が行われるようにしてもよい。
【００８３】
また、硬貨筐体１０３上に直接硬貨を載置できるようにしてもよい。この場合には、硬貨筐体１０３上に載置された硬貨の画像データを撮像部５０で取得することとなる。この場合には、硬貨筐体１０３には硬貨を案内するための案内壁が設けられており、レジ係等の操作者が手によって硬貨筐体１０３上に載置された硬貨を滑らせるか、前述した押出部６０のような部材によって硬貨筐体１０３上に載置された硬貨を滑らせることで、硬貨受入部１１０に硬貨を投入するようにしてもよい。
【００８４】
なお、前述したシャッター１１５は、待機時から画像データに基づいて算出された硬貨の合計金額について確定処理がなされるまでの間、閉じられたままであってもよい。そして、画像データに基づいて算出された硬貨の合計金額について確定処理がなされるか強制的にシャッター１１５を開ける旨の指令が入力されるとシャッター１１５が開くようにしてもよい。このような態様を採用することで、画像データに基づいて算出された硬貨の合計金額について確定処理がなされていないにも関わらず、誤って硬貨が硬貨受入部１１０内に落下することを防止することができる。
【００８５】
また、図１に示すようにシャッター１１５は上面が平坦な形状となっており、当該シャッター１１５上に硬貨を載置できるようになっていてもよい。そして、待機時から画像データに基づいて算出された硬貨の合計金額について確定処理がなされるまでの間、シャッター１１５は閉じられたままになっており、画像データに基づいて算出された硬貨の合計金額について確定処理がなされるか強制的にシャッター１１５を開ける旨の指令が入力されるとシャッター１１５が開き、シャッター１１５上に載置された硬貨が硬貨受入部１１０内に落下するようにしてもよい。この場合には、シャッター１１５上に載置された硬貨を撮像できる位置に撮像部５０を載置すればよい。また、シャッター１１５の上面に、前述したような区分け部１５が形成されていてもよい。
【００８６】
また、本実施の形態では画像データに基づいて硬貨の金種を識別することから、硬貨識別部１５０によって識別する場合と比較して、容易に多種類の硬貨の金種を識別することができる。このため、例えば、ドル、セント、ユーロ、元等の所定の外国硬貨を識別するための情報と、当該外国硬貨に対する為替レートとを上位記憶部１５５等に記憶させておくことで、外国硬貨をそのまま支払いに用いるようにすることもできる。また、この場合には、複数の外国硬貨が入り交じっていてもよく、例えば日本円の硬貨とＵＳドルの硬貨とを混合して支払いに用いた場合であっても、日本円にしていくらの金額であるのかを算出することができる。ちなみに、このように外国硬貨でそのまま支払いを行う場合には、硬貨識別部１５０を別途開発することなく、硬貨識別部１５０によって硬貨の識別を行わないようにしたり、硬貨識別部１５０で硬貨の識別を行うものの日本円以外の硬貨はリジェクト硬貨として取り扱い、別途保管するようにしてもよい。
【００８７】
また、硬貨を載置するための吟味台１４ａやカウンターのテーブル、登録装置３００の置き台等の載置台１４ｂは重量計１９（図４参照）を含んでいてもよい。この場合には、金種別の硬貨の重量を上位記憶部１５５等に予め記憶させておいて、画像データに基づく硬貨の金種別枚数から全硬貨の重量を算出し、重量計１９によって得られた重量と合致しているか否かを、上位制御部１０１等で判断することになる。そして、画像データに基づいて算出された全硬貨の重量が重量計１９によって得られた重量と合致していることを、画像データに基づいて算出された硬貨の合計金額に対して確定処理を行うための条件としてもよい。また、画像データに基づいて算出された全硬貨の重量が重量計１９によって得られた重量に基づくデータと合致していない場合には、登録表示部３５１、客側表示部３５６等の報知部でその旨が報知されてもよい。なお、両重量データが合致しない理由としては、硬貨が重なって配置されており下側の硬貨の画像を取得できていない場合や、外来光等の影響や装置の不具合等によって画像を取得できなかった硬貨が存在する場合等が想定される。
【００８８】
《紙幣処理装置２００》
次に、本実施の形態の紙幣処理装置２００の構成について説明する。ちなみに、本実施の形態の紙幣処理装置２００は、スーパー、コンビニエンスストア、ショッピングモール、百貨店等の様々な場所で利用され、紙幣の入出金処理を行う紙幣釣銭機となっている。
【００８９】
ところで、紙幣処理装置２００としてはこのような紙幣釣銭機には限られることはなく、例えば紙幣入金機、紙幣出金機、券売機、自動販売機等も含まれる。
【００９０】
図２に示すように、紙幣処理装置２００は、略直方体形状の紙幣筐体２０３と、紙幣を紙幣筐体２０３の外部から入金するための紙幣受入部２１０と、紙幣受入部２１０から入金された紙幣を搬送する紙幣搬送部２２０と、紙幣受入部２１０から入金された紙幣の金種等を識別して計数する紙幣識別部２５０と、紙幣搬送部２２０で搬送された紙幣を収納するとともに収納された紙幣を繰り出す紙幣収納部２６０と、リジェクト紙幣や紙幣収納部２６０に収納されていた紙幣を出金するための紙幣払出部２９０と、を備えている。なお、紙幣搬送部２２０は、図２に示すように、紙幣筐体２０３内の略中央部に設けられた環状の周回搬送部２２０ａと、紙幣受入部２１０、紙幣収納部２６０、紙幣払出部２９０等と、周回搬送部２２０ａとの間をそれぞれ接続する複数の接続搬送部２２０ｂとを有している。ちなみに、周回搬送部２２０ａに紙幣識別部２５０が設けられている。また、本実施の形態の紙幣収納部２６０は金種別に紙幣を収納する３つの金種別紙幣収納部２６１（２６１ａ，２６１ｂ，２６１ｃ）を有している。
【００９１】
紙幣受入部２１０は、紙幣が入金されると自動で又は操作表示部１５２、ボタン式操作部１５３、登録操作部３５２等からの入力信号を受けて駆動されて当該紙幣を紙幣筐体２０３内に繰り出す入金紙幣操出部（図示せず）を有している。また、紙幣収納部２６０は、必要に応じて紙幣収納部２６０から紙幣を繰り出す出金紙幣繰出部（図示せず）を有している。
【００９２】
また、図２に示すように、紙幣搬送部２２０には、回収処理を行う際に紙幣収納部２６０から繰り出された紙幣を収納する紙幣回収カセット２３５が連結されている。なお、紙幣識別部２５０で識別された紙幣の金種を収納するための紙幣収納部２６０がフル（満杯）状態又はニアフル（ほぼ満杯）状態である場合には、この紙幣はオーバーフロー紙幣として、紙幣回収カセット２３５に収納されてもよい。
【００９３】
また、図２に示すように、紙幣搬送部２２０には、紙幣収納部２６０から繰り出された紙幣が紙幣識別部２５０によって識別できない場合に、当該紙幣（出金リジェクト紙幣）を収納する出金紙幣リジェクト部２３０が連結されている。
【００９４】
紙幣処理装置２００の各金種に関する在高は、対象となる金種別紙幣収納部２６１に収納された紙幣の枚数から当該金種別紙幣収納部２６１から繰り出された紙幣の枚数を差し引くことで算出可能となる。ちなみに、各金種別紙幣収納部２６１に対応して設けられた検知センサ２２５からの情報に基づいて対象となる金種別紙幣収納部２６１内に紙幣が収納されたことが検出され、他方、当該検知センサ２２５からの情報に基づいて対象となる金種別紙幣収納部２６１から紙幣が繰り出されたことが検出される。
【００９５】
また、図２に示すように、検知センサ２２５は、出金紙幣リジェクト部２３０及び紙幣回収カセット２３５の各々に対応するようにも設けられており、当該検知センサ２２５からの情報に基づいて、出金紙幣リジェクト部２３０及び紙幣回収カセット２３５の各々に収納されている紙幣の枚数も検出できるようになっている。ちなみに、本実施の形態では、紙幣受入部２１０及び紙幣払出部２９０にも対応して検知センサ２２５が設けられている。紙幣受入部２１０に対応して設けられた検知センサ２２５は紙幣受入部２１０で受け入れられた紙幣が当該検知センサ２２５を通過したかを検知するために用いられる。また、紙幣払出部２９０に対応して設けられた検知センサ２２５は紙幣払出部２９０から払い出されるべき紙幣が当該検知センサ２２５を通過したかを検知するために用いられる。
【００９６】
図４に示すように、紙幣処理装置２００の紙幣制御部２０２には、インターフェース２３２、紙幣受入部２１０、紙幣搬送部２２０、出金紙幣リジェクト部２３０、紙幣識別部２５０、紙幣収納部２６０、紙幣払出部２９０、紙幣記憶部２０５、検知センサ２２５等がそれぞれ接続されている。そして、紙幣制御部２０２は、紙幣受入部２１０、紙幣搬送部２２０、出金紙幣リジェクト部２３０、紙幣識別部２５０、紙幣収納部２６０、紙幣払出部２９０、紙幣記憶部２０５、検知センサ２２５等と信号の送受信を行い、これらを制御するように構成されている。なお、以下の紙幣処理装置２００の説明において、紙幣処理装置２００の制御を主に紙幣制御部２０２が行う態様を用いるが、このような態様に限られることはなく、紙幣制御部２０２ではなく、上位制御部１０１、硬貨制御部１０２及び登録制御部３０２のいずれか１つ以上の制御部が紙幣処理装置２００の制御を行ってもよい。
【００９７】
ところで、撮像部５０で取得された所定の場所に載置された紙幣の画像データに基づいて、紙幣の合計金額を算出し、当該紙幣の合計金額に硬貨の合計金額を加算することで預かり金額の合計金額を算出するようにしてもよい。
【００９８】
各紙幣の金種を判別する場合には、上位制御部１０１が、画像データ上の紙幣面に印刷された金額情報、例えば「１０００」、「５０００」、「１０００」等を判別すればよい。なお、紙幣を所定の場所に載置する場合には、例えば紙幣が扇状に載置されるようにしてもよい。また、紙幣を載置するための専用の吟味台や載置台を設けてもよいし、同じ吟味台又は載置台の中で、紙幣を載置する部分と硬貨を載置する部分とを分けて設けてもよい。
【００９９】
また、上位制御部１０１は、撮像部５０で取得された所定の場所に載置された紙幣の画像データに基づいて、紙幣の記番号を判別するようにしてよい。このように紙幣の記番号が判別された場合には、当該記番号は、登録装置３００を介してサーバ４００に送られ、サーバ記憶部４０５で記憶されて管理されてもよい。また、上位制御部１０１で紙幣の記番号が判別されると、サーバ記憶部４０５に予め記憶されている偽札の記番号や盗難紙幣の記番号といったブラックリスト上の記番号と照合されて、照合した結果、ブラックリストに載っている記番号である場合にはその旨が登録装置３００の登録表示部３５１に表示されるようにしてもよい。
【０１００】
また、前述したような紙幣に関する情報だけではなく、上位制御部１０１は、撮像部５０で取得された紙葉類やカードの画像データに基づいて、当該紙葉類やカードの情報を取得するようにしてもよい。例えば、商品券の金額情報、クーポン券の割引情報、会員カードの会員番号等を、撮像部５０で取得された画像データに基づいて取得してもよい。
【０１０１】
本実施の形態の紙幣に関しても、硬貨に関して述べたのと同様の態様を採用することができる。以下では、重複する記載となるから適宜省略しつつ説明する。
【０１０２】
本実施の形態では、上位制御部１０１が、撮像部５０で取得された、所定の場所に載置された紙幣の画像データに基づいて、顧客が支払った紙幣の合計金額を算出するようになっていてもよい。そして、上位制御部１０１は、上位制御部１０１が算出した紙幣の合計金額と、同じく上位制御部１０１が硬貨の画像データに基づいて算出した硬貨の合計金額とを足し合わせて預かり金額とし、当該預かり金額と登録装置３００等から入力された売上金額とから釣銭金額を算出してもよい。なお、硬貨の合計金額に関しては、画像データに基づいて算出されることなく、硬貨識別部１５０による識別結果に基づいて算出されてもよい。
【０１０３】
上位制御部１０１は、撮像部５０で取得された画像データに基づいて、前述したように紙幣面に印刷された金額情報や、場合によっては紙幣の大きさ、紙幣の色等によって、各紙幣の金種を判別するようになっていてもよい。また、紙幣の両面の模様を上位記憶部１５５等が記憶しており、上位制御部１０１は、上位記憶部１５５等で記憶されている模様と画像データ中の模様とを比較することで、画像データ中の紙幣の各々の金種を判別してもよい。このように金種が判別されると、判別した金種別枚数を合計することで紙幣の合計金額を算出することができる。
【０１０４】
撮像部５０ではリアルタイムで画像データが取得されている。そして、上位制御部１０１は、撮像部５０によりリアルタイムで取得される画像データに基づいて、画像データ内の紙幣の金種をリアルタイムで判別し、判別結果に基づく情報を登録装置３００の登録表示部３５１及び／又は客側表示部３５６にリアルタイムで出力している。この判別結果に基づく情報は、画像データ、当該画像データに映っている紙幣の金種、画像データに映っている紙幣の合計金額、画像データに映っている紙幣の金種別枚数等が含まれていてもよい。登録装置３００の登録表示部３５１及び／又は客側表示部３５６では、画像データ、当該画像データに映っている紙幣の金種、画像データに映っている紙幣の合計金額、画像データに映っている紙幣の金種別枚数等がリアルタイムで表示される。このため、顧客が所定の場所である載置部１０に紙幣を足したり紙幣を取り除いたりすると、紙幣が足されたことや紙幣が取り除かれたこともリアルタイムで反映されて、登録装置３００の登録表示部３５１及び／又は客側表示部３５６では、画像データに映っている紙幣の金種、紙幣の合計金額、紙幣の金種別枚数等がリアルタイムで変化する。
【０１０５】
また、上位制御部１０１は、紙幣の画像データに基づいて紙幣の合計金額を算出し、硬貨の合計金額と紙幣の合計金額から預かり金額を算出し、当該預かり金額に基づいて入力された売上金額に対する釣銭金額又は不足金額を算出してもよい。この場合にも、リアルタイムで釣銭金額又は不足金額が登録装置３００の登録表示部３５１及び／又は客側表示部３５６で表示され、釣銭金額又は不足金額に基づいて、顧客は紙幣を所定の場所である載置部１０に追加したり紙幣を載置部１０から取り除いたりすることができる。
【０１０６】
また、上位制御部１０１は、売上金額に基づいて載置部１０に余分な紙幣が載置されているか否かをリアルタイムで判断してもよい。そして、売上金額に基づいて載置部１０に余分な紙幣が載置されている場合には、登録装置３００の登録表示部３５１及び／又は客側表示部３５６で余分な紙幣が載置部１０に載置されていることが表示され、一例としては余分な紙幣を所定の形状で取り囲むとともに、余分である旨を表示してもよい。ちなみに、売上金額に基づいて載置部１０に余分な紙幣が載置されている場合というのは、前述した硬貨の場合と同様、載置部１０に載置された紙幣のうち、釣銭として払い出されうる紙幣が含まれている場合には、売上金額に基づいて載置部１０に余分な紙幣が載置されていると判断されることになる。
【０１０７】
また、載置部１０で紙幣が重なって配置されて紙幣の金額情報が隠れてしまっており、紙幣の金種を判別することができない場合には、登録装置３００の登録表示部３５１、客側表示部３５６等の報知部でその旨が報知されてもよい。この場合には、紙幣が重なっている旨のメッセージが登録装置３００の登録表示部３５１、客側表示部３５６等で表示されてもよいし、登録装置３００の登録表示部３５１、客側表示部３５６等で紙幣が重なっている箇所が所定の形状で囲まれて表示されてもよい。
【０１０８】
上位制御部１０１は、撮像部５０で取得された画像データに基づいて、紙幣以外の異物（例えば、ゴミ、クリップ、レシート、紙幣識別部２５０で識別できない外国紙幣等）をリアルタイムで検出するようになっていてもよい。そして、上位制御部１０１は、このように画像データに基づいて異物が検出された場合には、異物に関する情報を出力してもよい。異物に関する情報には、異物が存在する旨の情報だけではなく、異物が存在する場所、異物の大きさ、異物の種類に関する情報が含まれてもよい。ところで、汚損が激しい紙幣等も異物として検出される。
【０１０９】
上位制御部１０１から異物に関する情報が出力されると、異物が載置部１０に載っていることが登録装置３００の登録表示部３５１及び／又は客側表示部３５６で表示される。
【０１１０】
このように異物が載置部１０に載っていることを表示する際には、メッセージが表示されてもよいし、異物の箇所が円形状や四角形状等の所定の形状で取り囲まれて登録装置３００の登録表示部３５１及び／又は客側表示部３５６で表示されるようにしてもよい。また、異物の種類、例えば、ゴミ、クリップ、レシート、紙幣識別部２５０で識別できない外国紙幣等の種別が登録装置３００の登録表示部３５１及び／又は客側表示部３５６で表示されてもよい。また、撮像用の照明が設けられている場合等には、当該照明の色が通常の場合から変化したり点滅したりする等して、異物が載置部１０に載置されていることが報知されてもよい。
【０１１１】
なお、画像データから異物が存在していると判断されている間は、画像データに基づいて算出された紙幣の合計金額について確定処理を受け付けないようにしてもよい。この場合には、載置部１０から当該異物が除去された時点で、画像データに基づいて算出された紙幣の合計金額について確定処理が受け付けられることとなる。ちなみに、画像データから異物が存在していると判断されている間であっても、強制的に確定処理を行うことができるようにしてもよい。
【０１１２】
前述したように汚損が激しい紙幣等も異物として検出されることとなるが、このような事態に備えて、登録操作部３５２や操作表示部１５２から所定の入力（例えば加算許可入力）を行うことで、画像データに基づいて算出された紙幣の合計金額に、登録操作部３５２や操作表示部１５２から手入力した金種別枚数や合計金額を加算したものを紙幣の総合計金額として算出できるようにしてもよい。また、このような態様に限られることはなく、登録操作部３５２や操作表示部１５２から所定の入力（例えば加算許可入力）を行うことで、画像データに基づいて算出された紙幣の合計金額に、紙幣識別部２５０による識別結果に基づいて算出された紙幣の合計金額を加算したものを紙幣の総合計金額として算出できるようにしてもよい。この場合には、汚損が激しい紙幣をとりあえず紙幣処理装置２００の紙幣受入部２１０内に投入し、紙幣識別部２５０で識別不可能としてリジェクトされた場合には、当該紙幣の金種別枚数や合計金額を手入力するようにしてもよい。
【０１１３】
紙幣制御部２０２は、紙幣識別部２５０による識別結果に基づいて紙幣受入部２１０で受け入れられた紙幣の合計金額を算出するようになっていてもよい。そして、撮像部５０で取得された画像データに基づいて算出された紙幣の合計金額と、紙幣識別部２５０による識別結果に基づいて算出された合計金額とを比較するようになっていてもよい。そして、撮像部５０で取得された画像データに基づいて算出された紙幣の合計金額と、紙幣識別部２５０による識別結果に基づいて算出された合計金額とが合致しない場合には、上位制御部１０１がその旨を出力するようにしてもよい。このように出力された情報に基づいて、登録装置３００の登録表示部３５１及び／又は客側表示部３５６に、撮像部５０で取得された画像データに基づいて算出された紙幣の合計金額と紙幣識別部２５０による識別結果に基づいて算出された合計金額とが合致しないことが表示（例えばアラーム表示）されてもよい。この際、登録表示部３５１及び／又は客側表示部３５６は、画像データに基づいて算出された紙幣の合計金額、紙幣識別部２５０による識別結果に基づいて算出された合計金額、画像データに基づいて算出された紙幣の合計金額と紙幣識別部２５０による識別結果に基づいて算出された合計金額との差分等を表示してもよい。また、報知部は、撮像部５０で取得された画像データに基づいて算出された紙幣の合計金額と紙幣識別部２５０による識別結果に基づいて算出された合計金額とが合致しないこと、画像データに基づいて算出された紙幣の合計金額、紙幣識別部２５０による識別結果に基づいて算出された合計金額、画像データに基づいて算出された紙幣の合計金額と紙幣識別部２５０による識別結果に基づいて算出された合計金額との差分等を音声で報知してもよい。
【０１１４】
前述のように撮像部５０で取得された画像データに基づいて算出された紙幣の合計金額と紙幣識別部２５０による識別結果に基づいて算出された合計金額とが合致しない場合には、紙幣識別部２５０による識別結果に基づいて算出された合計金額が正しく撮像部５０で取得された画像データに基づいて算出された紙幣の合計金額が誤っていたものとして、逆に、撮像部５０で取得された画像データに基づいて算出された紙幣の合計金額が正しく紙幣識別部２５０による識別結果に基づいて算出された合計金額が誤っていたものとして、判断されて処理されてもよい。この場合には、撮像部５０で取得された画像データに基づいて算出された紙幣の合計金額及び紙幣識別部２５０による識別結果に基づいて算出された合計金額と、どちらを「正」として処理したかが登録記憶部３０５やサーバ記憶部４０５に記憶されてもよい。
【０１１５】
また、撮像部５０で取得された画像データに基づいて算出された紙幣の合計金額と紙幣識別部２５０による識別結果に基づいて算出された合計金額とが合致しない場合には、紙幣処理装置２００で受け入れられた紙幣の全てを紙幣払出部２９０から返却するようにしてもよい。このような態様を採用することで、紙幣識別部２５０による識別結果に基づいて算出された合計金額が正しかったかを操作者が確認することができる。また、撮像部５０で取得された画像データに基づいて算出された紙幣の合計金額と紙幣識別部２５０による識別結果に基づいて算出された合計金額とが合致しない場合には、上位制御部１０１が上位記憶部１５５又はサーバ記憶部４０５に記憶された当該取引の画像データを読み出し、当該画像データを登録装置３００の登録表示部３５１に表示させてもよい。このような態様を採用することで、画像データに基づいて算出された合計金額が正しかったかを操作者が確認することができる。
【０１１６】
また、前述のように撮像部５０で取得された画像データに基づいて算出された紙幣の合計金額と紙幣識別部２５０による識別結果に基づいて算出された合計金額とが合致しない場合には、撮像部５０で取得された画像データに基づいて算出された紙幣の合計金額又は紙幣識別部２５０による識別結果に基づいて算出された合計金額のいずれかが修正されるか、強制終了されるまでは、新規の取引を受け付けないようにしてもよい。
【０１１７】
ところで、画像データに基づいて算出された紙幣の合計金額について確定処理がなされることなく紙幣が紙幣処理装置２００の紙幣受入部２１０で受け入れられたときには、画像データに基づいて紙幣の合計金額を算出することなく、紙幣処理装置２００の紙幣識別部２５０による識別結果に基づいて算出された合計金額のみを用いてもよい。
【０１１８】
なお、紙幣に関しても、撮像部５０で取得された画像データに基づいて載置部１０に載置された紙幣の合計金額を算出し、当該合計金額を利用してＩＣカードや携帯電話等に対する電子マネーのチャージを行うようにしてもよい。
【０１１９】
カメラ等からなる撮像部５０は、紙幣が載置される載置部１０を上方から撮像してもよいが、紙幣が載置される載置部１０の載置面が透明になっている態様を採用した場合には、撮像部５０を載置面の下方に載置し、透明な載置面を介して、載置部１０に載置された紙幣の画像データを取得するようにしてもよい。
【０１２０】
また、硬貨の場合と同様、載置部１０の載置面が例えばＬＣＤ等の表示画面１８となっていてもよい。この場合に採用されうる態様は、硬貨において説明したとおりである。
【０１２１】
また、紙幣処理装置２００とは全く別の場所で、紙幣の画像データを取得するようにしてもよい。この場合には、複数の撮像部５０に対して１台の紙幣処理装置２００が設置されるようにしてもよく、紙幣処理装置２００をあくまでも紙幣の金種別枚数を再確認したり紙幣を保管したりするために用い、撮像部５０で撮像された画像データに基づいて、一般的な取引が行われるようにしてもよい。
【０１２２】
また、ドル、ユーロ、元、ウォン等の所定の外国紙幣を識別するための情報と、当該外国紙幣に対する為替レートとを上位記憶部１５５等に記憶させておくことで、外国紙幣をそのまま支払いに用いるようにしていてもよい。また、この場合には、複数の外国紙幣が入り交じっていてもよく、例えば日本円の紙幣とＵＳドルの紙幣とを混合して支払いに用いた場合であっても、日本円にしていくらの金額であるのかを算出することができる。ちなみに、このように外国紙幣でそのまま支払いを行う場合には、紙幣識別部２５０を別途開発することなく、紙幣識別部２５０によって紙幣の識別を行わないようにしたり、紙幣識別部２５０で紙幣の識別を行うものの日本円以外の紙幣はリジェクト紙幣として取り扱い、別途保管するようにしてもよい。
【０１２３】
《登録装置３００》
次に、本実施の形態の登録装置３００の構成について説明する。登録装置３００の代表的な例はＰＯＳレジスタやテラーズマシンである。この登録装置３００では、商品の購入情報を登録したり、売上金額の算出、顧客から受け取った受取金額の算出及び釣銭金額の算出を行ったり、硬貨処理装置１００や紙幣処理装置２００に対して指令を入力して、釣銭の支払いを行わせたりするようになっている。なお、登録装置３００は、硬貨処理装置１００や紙幣処理装置２００に対して指令を入力して、硬貨や紙幣の精査処理、回収処理等を行わせるようになっていてもよい。
【０１２４】
図４に示すように、登録装置３００の登録制御部３０２は、硬貨処理装置１００の上位制御部１０１に通信接続されるとともに、サーバ４００にも通信接続されている。そして、この登録制御部３０２は、硬貨処理装置１００の上位制御部１０１を介して硬貨制御部１０２及び紙幣制御部２０２に指令を送り、この結果、硬貨処理装置１００に対して硬貨の入金処理、出金処理、精査処理、回収処理等を行わせ、紙幣処理装置２００に対して紙幣の入金処理、出金処理、精査処理、回収処理等を行わせるようになっている。また、登録制御部３０２は、硬貨制御部１０２及び紙幣制御部２０２から、上位制御部１０１を介して、硬貨制御部１０２及び紙幣制御部２０２における硬貨及び紙幣の処理状況や在高に係る情報を受け取るようになっている。
【０１２５】
図１に示すように、登録装置３００は、レジ係等の操作者が操作することのできる登録操作部３５２と、商品の取引状況、硬貨処理装置１００における硬貨の処理状況、紙幣処理装置２００における紙幣の処理状況、硬貨処理装置１００の内部に収納された硬貨の在高、紙幣処理装置２００の内部に収納された紙幣の在高等を表示する登録表示部３５１と、を備えている。そして、操作者は、登録操作部３５２を介して登録制御部３０２（図５参照）に対して様々な指令を与えることができるようになっている。ちなみに、本実施の形態では登録表示部３５１は単に情報を表示するものとして説明するが、これに限られることはなく、登録表示部３５１はタッチパネル等からなり、登録操作部３５２としての機能を果たしてもよい。
【０１２６】
なお、登録装置３００は、クレジットカード等の各種カードを読み取るカードリーダ３６０と、プリンタ等からなる印刷部３７０も有している。なお、登録表示部３５１で表示されるあらゆる情報や登録記憶部３０５で記憶されているあらゆる情報は、当該印刷部３７０で印字することができるようになっている。なお、カードリーダ３６０では、ＩＣカード、タグ、携帯電話等の媒体に記録され情報を読み取ることができてもよい。
【０１２７】
図４に示すように、登録装置３００の登録制御部３０２には、客側表示部３５６、カードリーダ３６０、プリンタ等からなる印刷部３７０、登録表示部３５１、登録操作部３５２、登録記憶部３０５、インターフェース３３２等がそれぞれ接続されている。そして、登録制御部３０２は、客側表示部３５６、カードリーダ３６０、印刷部３７０、登録表示部３５１、登録操作部３５２、登録記憶部３０５、インターフェース３３２等と信号の送受信を行い、これらを制御するように構成されている。
【０１２８】
ところで、本実施の形態の貨幣処理装置は音声認識部３０を有していてよい。このような場合には、例えばレジ係等の操作者が口頭で発した預かり金額に関する情報（「○○円、お預かりします。」）が音声認識部３０で認識され、その認識結果と、画像データに基づいて算出された硬貨の合計金額及び／又は紙幣の合計金額等に基づいて算出された預かり金額の合計金額とが合致しているかが照合されてもよい。また、音声認識部３０で認識された預かり金額に関する情報が、画像データに基づいて算出された硬貨の合計金額及び／又は紙幣の合計金額等に基づいて算出された預かり金額の合計金額と合致していない場合には、登録装置３００の登録表示部３５１、客側表示部３５６等の報知部でその旨が報知されてもよい。
【０１２９】
なお、上位記憶部１５５、硬貨記憶部１０５、紙幣記憶部２０５、登録記憶部３０５及びサーバ記憶部４０５の他にも、外部装置に外部記憶部（図示せず）が設けられていてもよい。また、上位制御部１０１、硬貨制御部１０２、紙幣制御部２０２及び登録制御部３０２の他にも、外部装置に外部制御部（図示せず）が設けられていてもよい。また、操作表示部１５２、ボタン式操作部１５３及び登録操作部３５２の他にも、外部装置に外部操作部（図示せず）が設けられていてもよい。また、操作表示部１５２、登録表示部３５１及び客側表示部３５６の他にも、外部装置に外部表示部（図示せず）が設けられていてもよい。
【０１３０】
ちなみに、本実施の形態では、上位記憶部１５５、硬貨記憶部１０５、紙幣記憶部２０５、登録記憶部３０５、サーバ記憶部４０５及び外部記憶部のいずれか一つで果たされる機能は、上位記憶部１５５、硬貨記憶部１０５、紙幣記憶部２０５、登録記憶部３０５、サーバ記憶部４０５及び外部記憶部の別の一つで果たされてもよい。また、上位制御部１０１、硬貨制御部１０２、紙幣制御部２０２、登録制御部３０２及び外部制御部のいずれか一つで果たされる機能は、上位制御部１０１、硬貨制御部１０２、紙幣制御部２０２、登録制御部３０２及び外部制御部の別の一つで果たされてもよい。また、操作表示部１５２、ボタン式操作部１５３、登録操作部３５２及び外部操作部のいずれか一つで果たされる機能は、操作表示部１５２、ボタン式操作部１５３、登録操作部３５２及び外部操作部の別の一つで果たされてもよい。また、操作表示部１５２、登録表示部３５１、客側表示部３５６及び外部表示部のいずれか一つで果たされる機能は、操作表示部１５２、登録表示部３５１、客側表示部３５６及び外部表示部の別の一つで果たされてもよい。
【０１３１】
以下では、上位記憶部１５５、硬貨記憶部１０５、紙幣記憶部２０５、登録記憶部３０５、サーバ記憶部４０５及び外部記憶部のいずれか一つ以上を示す用語として「記憶部５０５」を用いる。また、上位制御部１０１、硬貨制御部１０２、紙幣制御部２０２、登録制御部３０２及び外部制御部のいずれか一つ以上を示す用語として「制御部５０２」を用いる。また、操作表示部１５２、ボタン式操作部１５３、登録操作部３５２及び外部操作部のいずれか一つ以上を示す用語として「操作部５５２」を用いる。また、操作表示部１５２、登録表示部３５１、客側表示部３５６及び外部表示部のいずれか一つ以上を示す用語として「表示部５５１」を用いる。
【０１３２】
《方法（作用）》
次に、本実施の形態の貨幣処理システムを用いた貨幣処理方法について説明する。以下では、一例として、硬貨に関しては、区分け部１５を有する吟味台１４ａに載置された硬貨の画像データに基づいてその合計金額を算出し、紙幣に関しては、紙幣識別部２５０によって識別計数された結果に基づいてその合計金額を算出する態様を用いて説明する。しかしながら、これに限られることはなく、例えば、紙幣に関しても、所定の場所に載置された紙幣の画像データに基づいてその合計金額を算出するようにしてもよいし、硬貨に関して硬貨識別部１５０によって識別計数された結果に基づいてその合計金額を算出するとともに紙幣に関して所定の場所に載置された紙幣の画像データに基づいてその合計金額を算出するようにしてもよい。
【０１３３】
まず、商品に印刷されたり貼り付けられたりしているバーコード情報等が登録操作部３５２に含まれるバーコードリーダ（読取部）で読み取られて、商品の登録が行われる（図１５（ａ）参照）。その結果、顧客が購入した商品の売上金額が算出されて（図１５（ａ）では「商品額入力」として示されている。）、例えば小計ボタンが押下されて最終的な売上金額が確定される（図１５（ａ）参照：図１５（ａ）では「小計押下」として示されている。）。なお、図１５（ａ）−図１５（ｄ）において、矢印の終端は、操作者が行った操作に対して、対応する処理を行う部材や対応する処理が行われる部材を示している。
【０１３４】
次に、顧客が売上金額に対応した貨幣を支払う。
【０１３５】
この際、硬貨（例えば、１００円硬貨×１枚＋５００円硬貨×１枚）は顧客又はレジ係等の操作者によって吟味台１４ａ上に載置される（図１５（ａ）参照）。このように硬貨が吟味台１４ａ上に載置されると、操作者や顧客等が硬貨を吟味台１４ａに沿ってならすことで、区分け部１５の区画内に硬貨が１枚だけ載置され、各硬貨が分離されることになる。このように吟味台１４ａ上に載置された硬貨の画像データが撮像部５０によってリアルタイムで取得される（図１５（ｂ）参照）。そして、制御部５０２は、当該画像データに基づいて、画像データ内の硬貨の金種をリアルタイムで判別し、判別結果に基づく情報を登録装置３００の登録表示部３５１及び客側表示部３５６にリアルタイムで出力する。この判別結果に基づく情報には、例えば、画像データ、当該画像データに映っている硬貨の金種、画像データに映っている硬貨の合計金額、画像データに映っている硬貨の金種別枚数、画像データに映っている硬貨の合計金額と紙幣の合計金額とを合算した預かり金額、釣銭金額又は不足金額等が含まれている。なお、紙幣の合計金額及び預かり金額は、紙幣識別部２５０による識別結果が算出された時点で表示されるようにしてもよい。
【０１３６】
他方、顧客から差し出された紙幣（例えば、１０００円紙幣×１枚）は、レジ係等の操作者によって紙幣処理装置２００の紙幣受入部２１０に投入され、その後、紙幣筐体２０３内に繰り出される。そして、このように紙幣筐体２０３内に紙幣が繰り出されると、紙幣搬送部２２０によって当該紙幣は搬送されつつ紙幣識別部２５０によってその金種が識別されて、顧客から差し出された紙幣の合計金額が算出される（図１５（ｂ）参照）。なお、紙幣搬送部２２０によって搬送された紙幣はリジェクト紙幣でない限り紙幣収納部２６０まで搬送されて、当該紙幣収納部２６０内に収納されることとなる。
【０１３７】
預かり金額に問題がないようであれば、操作者が操作部５５２から取引を確定する旨の入力を行う（図１５（ｃ）参照：図１５（ｃ）では「現計押下」として示されている。）。この際、操作者が登録操作部３５２から取引を確定する旨の入力を行ってもよいが、客側表示部３５６がタッチパネル等からなっている場合には、顧客が当該客側表示部３５６の確認ボタンを押下することで取引を確定する旨の入力を行ってもよい。
【０１３８】
このように取引を確定する旨の入力が行われると、顧客からの預かり金額の合計金額が確定する。この結果、必要な場合には、硬貨処理装置１００及び／又は紙幣処理装置２００から釣銭が出金される。このように釣銭が出金される場合には、レジ係等の操作者が当該釣銭を硬貨処理装置１００及び／又は紙幣処理装置２００から抜き取り（図１５（ｃ）参照）、顧客に手渡すことで取引が終了する。
【０１３９】
その後で、吟味台１４ａ上の硬貨が硬貨処理装置１００の硬貨受入部１１０に投入され（図１５（ｄ）参照）、その後、硬貨筐体１０３内に繰り出される。そして、このように硬貨筐体１０３内に硬貨が繰り出されると、入金硬貨搬送部１２０によって当該硬貨は搬送されつつ硬貨識別部１５０によってその金種が識別されて、その合計金額が算出され、画像データに基づいて算出された硬貨の合計金額と比較される。なお、入金硬貨搬送部１２０によって搬送された硬貨はリジェクト硬貨でない限り硬貨収納部１６０まで搬送されて、当該硬貨収納部１６０内に収納されることとなる。
【０１４０】
吟味台１４ａ上の硬貨を硬貨受入部１１０に投入する際には、シュート２０がある場合には、シュート２０に沿って硬貨を流せばよいし、第一部材１１に対して開閉可能な第二部材１２が設けられている場合には、手動又は自動で第二部材１２を第一部材１１に対して開状態としてやればよい。その他の変形例については、「構成」で述べたとおりであるので、ここでは省略する。
【０１４１】
そして、撮像部５０で取得された画像データに基づいて算出された硬貨の合計金額と、硬貨識別部１５０による識別結果に基づいて算出された合計金額とが合致する場合には、そのまま、当該取引に関する処理は終了される。
【０１４２】
他方、撮像部５０で取得された画像データに基づいて算出された硬貨の合計金額と、硬貨識別部１５０による識別結果に基づいて算出された合計金額とが合致しない場合には、制御部５０２がその旨を出力するようにしてもよい。このように出力された情報に基づいて、登録表示部３５１、客側表示部３５６等を含む報知部で、撮像部５０で取得された画像データに基づいて算出された硬貨の合計金額と硬貨識別部１５０による識別結果に基づいて算出された合計金額とが合致しないことが報知されてもよい。また、硬貨識別部１５０による識別結果に基づいて算出された合計金額が正しく硬貨識別部１５０による識別結果に基づいて算出された合計金額が誤っていたものとして、逆に、硬貨識別部１５０による識別結果に基づいて算出された合計金額が正しく硬貨識別部１５０による識別結果に基づいて算出された合計金額が誤っていたものとして、判断されて処理されてもよい。この場合には、撮像部５０で取得された画像データに基づいて算出された硬貨の合計金額及び硬貨識別部１５０による識別結果に基づいて算出された合計金額と、どちらを「正」として処理したかが記憶部５０５に記憶されてもよい。
【０１４３】
また、撮像部５０で取得された画像データに基づいて算出された硬貨の合計金額と、硬貨識別部１５０による識別結果に基づいて算出された合計金額とが合致しない場合には、記憶部５０５に記憶された当該取引の画像データを読み出し、当該画像データを登録表示部３５１に表示させてもよい。また、硬貨処理装置１００で受け入れられた硬貨の全てを硬貨払出部１９０から返却するようにしてもよい。これらの場合には、撮像部５０で取得された画像データに基づいて算出された硬貨の合計金額若しくは硬貨識別部１５０による識別結果に基づいて算出された合計金額のいずれかが修正されるか、又は、当該取引が強制的に終了されることで、当該取引に関する処理は終了される。
【０１４４】
重複する記載となるため省略したが、前記では述べていない内容であっても「構成」で述べた内容を「方法」に適宜採用することができる点には留意が必要である。
【０１４５】
ここで、図１５（ａ）−図１５（ｄ）の各工程に対応する硬貨処理装置１００の表示画面の例を図１６に示す。本例では、硬貨の画像データが撮像部５０によって取得される前の時点（図１５（ａ）参照）においては、硬貨処理装置１００内に収容されている貨幣の量（機内在高）の大まかな状況が金種別に示されている（図１６（ａ）の表示状態）。売上金額が確定すると、登録装置から売上金額（例えば、１５３０円）が取得される。
【０１４６】
そして、硬貨の画像データが撮像部５０によって取得されると（図１５（ｂ）参照）、画像データ内の硬貨の金種がリアルタイムで判別され、画像データ内の硬貨の合計金額が「カルトン計数」という欄に表示される（図１６（ｂ）の表示状態）。本例では、画像データ内の硬貨は、５００円硬貨が１枚、１００円硬貨が１枚である（図１６（ｄ）の表示状態参照）。また、紙幣処理装置２００に投入された紙幣（例えば、１０００円紙幣×１枚）の金額情報が「つり銭機計数」という欄に表示される。
【０１４７】
預かり金額に問題がないようであれば、操作者が例えば操作部５５２から取引を確定する旨の入力を行う（図１５（ｃ）参照）。本例の売上金額は、１５３０円である。これらのデータに基づいて、硬貨制御部１０２は、画像データ内の硬貨と入金された紙幣の合計金額（１６００円）と売上金額（１５３０円）とから釣銭金額（７０円）を算出し、表示部に表示させ（図１６（ｃ）の表示状態参照）、出金させる（５０円硬貨が１枚、１０円硬貨が２枚）。
【０１４８】
顧客との精算処理は、以上の工程で一応完了しているが、画像データにおいて生じ得るエラー（例えば貨幣が重なり合っていたり、貨幣の変色の程度が大きかったり、外光の影響が大きかったりした場合等に生じ得る画像判別上のエラー）を直ちに捕捉するべく、画像データが撮像部５０によって取得された硬貨が硬貨識別部１５０によって直ちに識別されることが好ましい。本例では、この投入作業を促すような画面が表示される（図１６（ｄ）の表示状態）。
【０１４９】
その後、吟味台１４ａ上の硬貨が硬貨処理装置１００の硬貨受入部１１０に投入されると（図１５（ｄ）参照）、硬貨筐体１０３内に繰り出され、入金硬貨搬送部１２０によって当該硬貨は搬送されつつ硬貨識別部１５０によってその金種が識別されて、その合計金額が算出される。そして、撮像部５０で取得された画像データに基づいて算出された硬貨の合計金額と、硬貨識別部１５０による識別結果に基づいて算出された合計金額と、を比較して（「突合」という）、両者が合致すれば、当該取引に関する処理は終了される。そして、再び、硬貨処理装置１００内に収容されている貨幣の量の大まかな状況が金種別に示される（図１６（ｅ）の表示状態）。
【０１５０】
次に、図１７を用いて、硬貨の計数例及び突合例について説明する。ここでは、１取引毎に硬貨が硬貨処理装置に投入されて、突合処理が行われるものとする。
【０１５１】
図１７（ａ）は、１取引分を突合し、ＯＫであった場合を示す図表である。本例では、画像データ内の硬貨は、５００円硬貨が１枚、１００円硬貨が２枚、５０円硬貨が１枚、１０円硬貨が３枚、であって（図１７（ａ）参照）、そのような画像判別結果が得られた後、当該データは例えば硬貨記憶部１０５等に記憶された。一方、硬貨識別部１５０によっても、同様の識別結果が得られた。そして、それらの突合の際の照合結果が一致することにより、取引に関する処理は終了され、各データはリセットされた（待機状態）。
【０１５２】
図１７（ｂ）は、１取引分を突合し、ＮＧ（不足）となり、追加投入でＯＫになった場合を示す図表である。本例では、画像データ内の硬貨は、１００円硬貨が３枚、１０円硬貨が４枚、５円硬貨が１枚、１円硬貨が３枚、であって（図１７（ｂ）参照）、そのような画像判別結果が得られた後、当該データは例えば硬貨記憶部１０５等に記憶された。一方、硬貨識別部１５０によって、１００円硬貨が２枚、１０円硬貨が４枚、５円硬貨が１枚、１円硬貨が３枚、という識別結果が得られた。すなわち、それらの突合の際の照合結果は不一致であった。このため、それらの差分である「１００円硬貨が１枚不足」という情報が警告表示された。その後、硬貨処理装置１００の周囲を探したら１００円硬貨が１枚出てきたため、それを硬貨受入部１１０に追加投入することで差分が無くなり、警告状態が解消され、各データはリセットされた（待機状態）。
【０１５３】
図１７（ｃ）は、１取引分を突合し、ＮＧ（過剰）となり、出金処理でＯＫになった場合を示す図表である。本例では、画像データ内の硬貨は、５００円硬貨が１枚、１００円硬貨が２枚、５０円硬貨が１枚、１０円硬貨が５枚、１円硬貨が７枚、であって（図１７（ｃ）参照）、そのような画像判別結果が得られた後、当該データは例えば硬貨記憶部１０５等に記憶された。一方、硬貨識別部１５０によって、５００円硬貨が１枚、１００円硬貨が２枚、５０円硬貨が１枚、１０円硬貨が６枚、１円硬貨が７枚、という識別結果が得られた。すなわち、それらの突合の際の照合結果は不一致であった。このため、それらの差分である「１０円硬貨が１枚過剰」という情報が警告表示された。その後、１０円硬貨を１枚追加出金して顧客に返すことで、警告状態が解消され、各データはリセットされた（待機状態）。尚、硬貨識別部１５０による識別結果が過剰となる原因としては、吟味台に載置された硬貨の一部（ここでは、１０円硬貨１枚）が他の硬貨と重なって隠れていたことが推定される。
【０１５４】
図１７（ｄ）は、１取引分を突合し、ＮＧ（過剰）となり、クリア処理を行った場合を示す図表である。本例では、画像データ内の硬貨は、５００円硬貨が１枚、１００円硬貨が２枚、５０円硬貨が１枚、１０円硬貨が５枚、１円硬貨が７枚、であって（図１７（ｄ）参照）、そのような画像判別結果が得られた後、当該データは例えば硬貨記憶部１０５等に記憶された。一方、硬貨識別部１５０によって、５００円硬貨が１枚、１００円硬貨が２枚、５０円硬貨が１枚、１０円硬貨が６枚、１円硬貨が７枚、という識別結果が得られた。すなわち、それらの突合の際の照合結果は不一致であった。このため、それらの差分である「１０円硬貨が１枚過剰」という情報が警告表示された。その後、１０円硬貨を１枚追加出金して顧客に返そうとしたが、すでに顧客が退店してしまっていて不可能であった。そこで、やむを得ず、強制的に警告状態を解消するクリア処理を行った（過剰の１０円硬貨は硬貨処理装置内に収納されたり、出金された後に例えばドロア等に収容される）。
【０１５５】
ここで、クリア処理に関する情報は、例えば、対応する取引情報に紐付けされて記憶され得る。この場合、例えばその後に顧客から申告（クレーム）があった際に、返金することができる。また、クリア処理に関する情報は、操作者（例えばレジ担当者）が交代する時や、締めの処理を行う時などに、再度確認されることが好ましい。
【０１５６】
また、クリア処理の回数や、クリア処理に伴う各金額の情報が、硬貨処理装置１００毎に、操作者（例えばレジ担当者）毎に、及び／または、所定の期間（例えば１時間）毎に把握されて、精算処理の状況の分析に活用されることが好ましい。また、同一の操作者のクリア処理の回数が上限値を超えた場合には、管理者による確認作業が行われるまで硬貨処理装置１００を停止させてもよい。
【０１５７】
なお、本実施の形態では、図１７（ｂ）乃至図１７（ｄ）を用いて説明した各処理内容（対応パターン）について、所定の判別条件に基づいて選択的に実施されるようになっている。これについて図１８を用いて説明する。図１８は、本実施の形態の処理フローの一例を示すフロー図である。
【０１５８】
図１８の例では、最初の工程として、売上情報が取得される（ＳＴＥＰ０１）。具体的には、登録装置３００において確定された売上情報（金額）が通知される。
【０１５９】
当該入力工程が実施されたことをトリガとして（ＳＴＥＰ０１における「Ｙｅｓ］）、例えば吟味台１４ａ上に載置された硬貨について撮像部５０によって画像データが取得され、画像判別処理を経て金種別枚数および合計金額が算出される（ＳＴＥＰ０２）。そして、今回の取引の画像識別データ（画像データ、金種別枚数、合計金額等）が保存（記憶）される（ＳＴＥＰ０３）。
【０１６０】
図１８の例では、紙幣については、撮像部５０を用いることなく、紙幣識別部２５０による識別結果を用いて計数がなされるものとする（ＳＴＥＰ０４）。
【０１６１】
そして、今回の硬貨の金種別枚数と紙幣の金種別枚数とが合算され、更に売上金額との差分が釣銭金額として算出される（ＳＴＥＰ０５）。
【０１６２】
釣銭があれば（ＳＴＥＰ０６における「Ｙｅｓ」）、釣銭（硬貨および／または紙幣）が払い出される（ＳＴＥＰ０７）。
【０１６３】
そして、その後、硬貨識別部１５０による硬貨の識別工程が実施される。顧客からの支払いが紙幣のみで行われ硬貨の支払いがない場合には（ＳＴＥＰ０８における「Ｎｏ」）、当該フローの最初に戻る（ＳＴＥＰ１６）。硬貨の支払いがあれば、硬貨受入部１１０への硬貨の一括投入がなされ（ＳＴＥＰ０８における「Ｙｅｓ」）、硬貨識別部１５０による硬貨の識別結果に基づいて硬貨の金額情報（金種別枚数、合計金額）が算出される（ＳＴＥＰ０９）。
【０１６４】
そして、画像データに基づく硬貨の金種別枚数と、硬貨識別部１５０による識別結果に基づく硬貨の金種別枚数と、が突合される（ＳＴＥＰ１０）。あるいは、画像データに基づく硬貨の合計金額と、硬貨識別部１５０による識別結果に基づく硬貨の合計金額と、が突合されてもよい。
【０１６５】
突合の結果が一致すれば（ＳＴＥＰ１１の「Ｙｅｓ」）、確認作業が終了するため、画像識別データがクリアされ（ＳＴＥＰ１５）、当該フローの最初に戻る（ＳＴＥＰ１６）。但し、クリアされた画像識別データは、サーバ等に記憶保存され、必要時には呼び出してデータ内容を確認できるものとする。
【０１６６】
突合の結果が不一致である場合（ＳＴＥＰ１１の「Ｎｏ」）、本実施の形態では、予め用意されて上位記憶部１５５やサーバ記憶部４０５等（記憶部５０５）に記憶された複数の対応パターンのうち、いずれの対応パターンが採用されるべきかを決定するべく、判別条件が判定される（ＳＴＥＰ１２）。そして、判別条件の判定結果に基づいて対応パターンが選択され（ＳＴＥＰ１３）、当該選択された対応パターンが実施される（ＳＴＥＰ１４）。
【０１６７】
判別条件としては、例えば、画像データに基づく硬貨の合算額が硬貨識別部１５０による識別結果に基づく硬貨の金額情報よりも多いか否か、という条件である。画像データに基づく硬貨の合算額が硬貨識別部１５０による識別結果に基づく硬貨の金額情報よりも多い場合には、対応パターンとして、例えば、貨幣の追加投入を促す表示がなされる。例えば、図１７（ｂ）の例のように、画像データに基づく硬貨の金種別枚数と硬貨識別部１５０による識別結果に基づく硬貨の金種別枚数との差分に関する「１００円硬貨が１枚不足」という情報が警告表示される。
【０１６８】
その後、不足硬貨を硬貨受入部１１０に追加投入することで差分が無くなれば、警告状態が解消され、各データはクリアされる（ＳＴＥＰ１５）。不足硬貨が見つからず硬貨受入部１１０に追加投入されない場合には、操作者の入力（選択）により、硬貨受入部１１０に一括投入された硬貨の全てを出金（返金）して取引自体がキャンセルされるか、あるいは、強制的に警告状態を解消するクリア処理（画像データに基づく硬貨の金種別枚数と硬貨識別部１５０による識別結果に基づく硬貨の金種別枚数とが合致する場合の状態に復帰させる処理）が行われる。ここで、クリア処理に関する情報は、例えば、対応する取引情報に紐付けされて記憶され得る。この場合、例えばその後に顧客から申告（クレーム）があった際に、正しく再精算することができる。また、クリア処理に関する情報は、操作者（例えばレジ担当者）が交代する時や、締めの処理を行う時などに、再度確認されることが好ましい。
【０１６９】
あるいは、判別条件としては、例えば、画像データに基づく硬貨の金種別枚数が硬貨識別部１５０による識別結果に基づく硬貨の金種別枚数よりも少ないか否か、という条件である。画像データに基づく硬貨の金種別枚数が硬貨識別部１５０による識別結果に基づく硬貨の金種別枚数よりも少ない場合には、対応パターンとして、例えば、過剰に投入された硬貨の出金（返金）がなされる。例えば、図１７（ｃ）及び図１７（ｄ）の例のように、画像データに基づく硬貨の金種別枚数と硬貨識別部１５０による識別結果に基づく硬貨の金種別枚数との差分に関する「１０円硬貨が１枚過剰」という情報が警告表示されると共に、過剰硬貨が硬貨払出部１９０から払い出される。
【０１７０】
その後、払い出された過剰硬貨が顧客に返却されることで、警告状態は解消され、各データはリセットされる（ＳＴＥＰ１５）。すでに顧客が退店してしまっていて返却が不可能な場合には、強制的に警告状態を解消するクリア処理が行われる（過剰硬貨は硬貨処理装置内に再収納されたり、ドロア等に収容される）。この場合も、クリア処理に関する情報は、例えば、対応する取引情報に紐付けされて記憶されることが好ましい。この場合、例えばその後に顧客から申告（クレーム）があった際に、正しく返金することができる。また、クリア処理に関する情報は、操作者（例えばレジ担当者）が交代する時や、締めの処理を行う時などに、再度確認されることが好ましい。
【０１７１】
あるいは、判別条件としては、例えば、硬貨識別部１５０によってリジェクト硬貨と識別された硬貨が存在するか否か、という条件である。リジェクト硬貨があれば、通常は、画像データに基づく硬貨の金種別枚数が硬貨識別部１５０による識別結果に基づく硬貨の金種別枚数よりも多くなる。従って、対応パターンとして、例えば、貨幣の追加投入を促す表示がなされる。例えば、図１７（ｂ）の例のように、画像データに基づく硬貨の金種別枚数と硬貨識別部１５０による識別結果に基づく硬貨の金種別枚数との差分に関する「１００円硬貨が１枚不足」という情報が警告表示される。
【０１７２】
その後、リジェクト硬貨の代わりの硬貨が硬貨受入部１１０に追加投入されることで差分が無くなれば、警告状態が解消され、各データはクリアされる（ＳＴＥＰ１５）。リジェクト硬貨の代わりの硬貨が硬貨受入部１１０に追加投入されない場合には、操作者の入力（選択）により、硬貨受入部１１０に一括投入された硬貨の全てを出金（返金）して取引自体がキャンセルされるか、あるいは、強制的に警告状態を解消するクリア処理（画像データに基づく硬貨の金種別枚数と硬貨識別部１５０による識別結果に基づく硬貨の金種別枚数とが合致する場合の状態に復帰させる処理）が行われる。この場合も、クリア処理に関する情報は、例えば、対応する取引情報に紐付けされて記憶されることが好ましい。この場合、例えばその後に顧客から申告（クレーム）があった際に、正しく再精算することができる。また、クリア処理に関する情報は、操作者（例えばレジ担当者）が交代する時や、締めの処理を行う時などに、再度確認されることが好ましい。
【０１７３】
あるいは、判別条件としては、例えば、当該取引がなされたが繁忙時間帯であるか閑散時間帯であるか、という条件である。繁忙時間帯であれば、突合の不一致による不利益よりも顧客を待たせてしまうことの不利益の方が大きいので、対応パターンとして、優先的に、クリア処理（画像データに基づく硬貨の金種別枚数と硬貨識別部１５０による識別結果に基づく硬貨の金種別枚数とが合致する場合の状態に復帰させる処理）が行われる。この場合も、クリア処理に関する情報は、例えば、対応する取引情報に紐付けされて記憶されることが好ましい。この場合、例えばその後に顧客から申告（クレーム）があった際に、正しく再精算することができる。また、この場合も、クリア処理に関する情報は、操作者（例えばレジ担当者）が交代する時や、締めの処理を行う時などに、再度確認されることが好ましい。
【０１７４】
どの判別条件を適用するかについては、貨幣処理装置の設置時や運用形態の変更時などに、貨幣処理装置の管理権限者によって設定入力されることが好ましい。また、上位の管理装置に対する設定入力情報に基づいて、複数の貨幣処理装置の判別条件が一律に、あるいは個別的に、設定されるようになっていてもよい。あるいは、判別条件は、貨幣処理装置の電源を入れる度に設定入力されてもよい。
【０１７５】
また、対応パターンとしては、クリア処理の実行を管理権限者に限定して、警告状態が解消されるまで警告表示が継続するという態様も採用され得る（次の処理に進めない）。クリア処理の実行について、画像データに基づく硬貨の金種別枚数と硬貨識別部１５０による識別結果に基づく硬貨の金種別枚数との差分が大きい（例えば５０円以上）場合にのみ制限するという態様も採用され得る。
【０１７６】
また、取引キャンセルの際の入金硬貨の返金処理においては、入金された硬貨をそのまま返金する態様の他（入金硬貨一時保留部が必要となる）、入金された硬貨を収納して同一金種および同一枚数の硬貨を出金するという態様も採用され得る。
【０１７７】
以上のような図１８に示すフローによれば、画像データに基づく硬貨の金種別枚数と硬貨識別部１５０による識別結果に基づく硬貨の金種別枚数とを比較することにより、硬貨が正しく貨幣処理装置内に受け入れられたか否か、確認できる。これにより、画像データにおいて生じ得るエラー（例えば硬貨が重なり合っていた場合等に生じ得る画像判別上のエラー）を捕捉することができる。
【０１７８】
そして、図１８に示すフローによれば、画像データに基づく硬貨の金種別枚数と硬貨識別部１５０による識別結果に基づく硬貨の金種別枚数とが合致しない場合の対応パターンが複数用意されて記憶されており、前記比較処理の結果、画像データに基づく硬貨の金種別枚数と硬貨識別部１５０による識別結果に基づく硬貨の金種別枚数とが合致しない場合に、前記記憶された複数の対応パターンのうちの一つが適宜の判別条件の判定結果に基づいて選択されて、当該選択された対応パターンが実施されることにより、店舗等の要望に合った柔軟な運用形態を常時実現することができる。
【０１７９】
《効果》
次に、前述した構成からなる本実施の形態によって達成される効果であって、まだ述べていない効果又はとりわけ重要な効果について説明する。
【０１８０】
本実施の形態では、所定の場所に載置された貨幣に関して、撮像部５０で取得された画像データに基づいて、預かり金額の金種別枚数を算出し、入力された売上金額と算出した預かり金額の金種別枚数とから釣銭金額を算出する。この点、撮像部５０で取得された画像データに基づいて貨幣（つまり硬貨、紙幣又は硬貨及び紙幣の両方）の金種別枚数を算出する場合には、即座にその金種別枚数を算出することができるので、硬貨識別部１５０又は紙幣識別部２５０によって金種別枚数を算出する場合と比較して、格段に早く、その金種別枚数を算出することができる。また、画像データに基づいて貨幣の金種別枚数を算出することから、特許文献１で出金優先処理を選択した場合のようにレジ係等の操作者による数え間違いや不正が発生することもない。したがって、本実施の形態によれば、違算が発生したり不正が発生したりする可能性を低く抑えつつ、顧客を待たせる時間を短くすることができる。
【０１８１】
ちなみに、硬貨に関しては支払う枚数が多い傾向にあり、また硬貨が入金時に硬貨受入部１１０内で暴れてしまい取り込まれるまでに時間が掛かることがあるのに対して、紙幣に関しては支払う枚数が少ない傾向にあり、また紙幣が入金時に紙幣受入部２１０内で暴れてしまうことはないことから、画像データに基づいて硬貨の金種別枚数を算出する態様の方が、画像データに基づいて紙幣の金種別枚数を算出する態様よりも有益である。但し、画像データに基づいて紙幣の金種別枚数を算出しても当然よく、画像データに基づいて硬貨の金種別枚数と紙幣の金種別枚数の両方を算出しても当然よい。
【０１８２】
また、本実施の形態において、画像データに基づいて各貨幣の金種を判別する態様を採用した場合には、所定の場所に載置された貨幣の各々に関する金種を判別することができるので、正確な金種別枚数を算出することができる。
【０１８３】
また、前述した「所定の場所」として吟味台１４ａを採用した場合には、顧客に対して貨幣を載置すべき場所を直感的に理解させることができる。このため、画像データに基づいて貨幣の金種別枚数を算出する際の効率を高めることができる。
【０１８４】
また、表示部５５１によって撮像部５０で取得された画像データを表示する態様を採用した場合には、映し出された画像データに基づいて、操作者や顧客に対して様々な情報を提供することができる。一例として、表示部５５１が画像データに映し出された各貨幣に対して判断された金種を表示してもよく、この場合には、画像データに映し出された各貨幣の金種に対する判別が合っているか否かを操作者や顧客が一目で確認することができる。また、別の例としては、表示部５５１が画像データに映し出された貨幣に対して判断された金種別枚数を表示してもよく、この場合には、画像データに映し出された貨幣に対して判断された金種別枚数を操作者や顧客が一目で確認することができる。
【０１８５】
なお、操作者が利用するための登録表示部３５１と顧客が利用するための客側表示部３５６とが設けられている場合には、操作者だけでなく顧客にも画像データに基づく情報を提供することができる。このため、例えば顧客も納得したうえで画像データに基づいて算出された貨幣の金種別枚数を確定することができる。
【０１８６】
貨幣の画像データに基づいて当該貨幣の金種をリアルタイムで判別し、判別結果に基づく情報を表示部５５１にリアルタイムで出力する態様によれば、例えば、画像データに映し出されている貨幣の金種をリアルタイムで把握することができ、画像データに基づいて金種別枚数が確定される前にその状況を操作者や顧客が把握することができる。
【０１８７】
また、貨幣の画像データに基づいて預かり金額の金種別枚数をリアルタイムで算出し、入力された売上金額と算出した預かり金額の金種別枚数とから釣銭金額又は不足金額をリアルタイムで算出する態様を採用した場合には、例えば、支払われた貨幣に基づいてリアルタイムに釣銭金額又は不足金額を表示部５５１で表示させることができる。仮に客側表示部３５６で釣銭金額又は不足金額がリアルタイムで表示されている場合には、後いくら出せば釣銭をまるめられるか（自身が受け取る釣銭の枚数を減らすことができるのか）、売上金額以上を支払うには後いくら以上の貨幣を出せばよいのか等を顧客に直感的に把握させることができる。また、このような態様によれば、自己が貨幣を支払い過ぎていることや、誤った金種の貨幣を支払っていることを顧客に気づかせることもできる。
【０１８８】
とりわけ、判別結果に基づく情報が画像データに映し出された各貨幣に対して判別された金種を含む場合には、画像データ中の各貨幣の金種に対する判別が合っているか否かをリアルタイムで操作者や顧客が確認することができる。判別結果に基づく情報が画像データに映し出された貨幣の金種別枚数を含む場合には、画像データ中の貨幣の金種別枚数をリアルタイムで操作者や顧客が確認することができる。ちなみに、判別された金種に関しては、画像データ上の貨幣と重ね合わせて表示させてもよいし、画像データ上の貨幣に近接させた位置に表示させてもよい（図９参照）。
【０１８９】
また、判別結果に基づく情報が画像データを含む場合には、画像データを見ながら、画像データ中の各貨幣の金種に対する判別が合っているか否かをリアルタイムで操作者や顧客が確認したり、画像データ中の貨幣の金種別枚数をリアルタイムで操作者や顧客が確認したりすることができる。
【０１９０】
また、硬貨に関して撮像部５０で取得された画像データに基づいて硬貨の金種別枚数を算出する場合において、硬貨識別部１５０による識別結果に基づいて硬貨受入部１１０で受け入れられた硬貨の金種別枚数を算出し、画像データに基づいて算出された硬貨の金種別枚数と、硬貨識別部１５０による識別結果に基づいて算出された硬貨の金種別枚数とを比較する態様を採用した場合には、画像データに基づいて算出された硬貨の金種別枚数と硬貨識別部１５０による識別結果に基づいて算出された硬貨の金種別枚数とを用いて二重に確認することができる。このため、より確実に、硬貨の違算の発生の可能性を低くすることができる。また、紙幣に関して撮像部５０で取得された画像データに基づいて紙幣の金種別枚数を算出する場合において、紙幣識別部２５０による識別結果に基づいて紙幣受入部２１０で受け入れられた紙幣の金種別枚数を算出し、画像データに基づいて算出された紙幣の金種別枚数と、紙幣識別部２５０による識別結果に基づいて算出された紙幣の金種別枚数とを比較する態様を採用した場合には、画像データに基づいて算出された紙幣の金種別枚数と紙幣識別部２５０による識別結果に基づいて算出された紙幣の金種別枚数とを用いて二重に確認することができる。このため、より確実に、紙幣の違算の発生の可能性を低くすることができる。
【０１９１】
画像データに基づいて算出された硬貨の金種別枚数と硬貨識別部１５０による識別結果に基づいて算出された硬貨の金種別枚数とが合致しない場合や、画像データに基づいて算出された紙幣の金種別枚数と紙幣識別部２５０による識別結果に基づいて算出された紙幣の金種別枚数とが合致しない場合に、その旨を出力する態様を採用したときには、例えば、そのことを、表示部５５１等の報知部でアラーム表示したり、音声で知らせたりすることができる。
【０１９２】
また、画像データに基づいて算出された硬貨の金種別枚数と硬貨識別部１５０による識別結果に基づいて算出された硬貨の金種別枚数とが合致しないことや、画像データに基づいて算出された紙幣の金種別枚数と紙幣識別部２５０による識別結果に基づいて算出された紙幣の金種別枚数とが合致しないことの出力を受けて、合致していない旨のログを記憶部５０５に残すこともできる。
【０１９３】
また、画像データに基づいて算出された硬貨の金種別枚数と硬貨識別部１５０による識別結果に基づいて算出された硬貨の金種別枚数とが合致しないことや、画像データに基づいて算出された紙幣の金種別枚数と紙幣識別部２５０による識別結果に基づいて算出された紙幣の金種別枚数とが合致しないことの出力を受けて、硬貨処理装置１００又は紙幣処理装置２００で受け入れられた硬貨又は紙幣の全てを硬貨払出部１９０又は紙幣払出部から返却したり、記憶部５０５に記憶されている当該取引に関する画像データを読み出して表示部５５１に表示させたりする場合には、操作者によって、硬貨識別部１５０又は紙幣識別部２５０による識別結果が正しかったのか、また、画像データに基づいて算出された算出結果が正しかったのか等を確認させることができる。
【０１９４】
本発明において特に重要な特徴は、画像データに基づいて算出された硬貨の金種別枚数（あるいは合計金額）と硬貨識別部１５０による識別結果に基づいて算出された硬貨の金種別枚数（あるいは合計金額）とが合致しない場合の対応パターンが、複数用意されて記憶されていることである。そして、比較処理の結果、画像データに基づいて算出された硬貨の金種別枚数（あるいは合計金額）と硬貨識別部１５０による識別結果に基づいて算出された硬貨の金種別枚数（あるいは合計金額）とが合致しない場合に、複数の対応パターンのうちの一つが適宜の判別条件の判定結果に基づいて選択されて実施されることである。このことにより、店舗等の要望に合った柔軟な運用形態を常時実現することができる。
【０１９５】
また、画像データに基づいて異物を検出する場合には、異物によって画像データに基づいて貨幣の金種別枚数（あるいは合計金額）を算出することができなくなったり、当該異物が硬貨処理装置１００内に投入されることを未然に防止したりすることができる。なお、画像データに基づいて異物をリアルタイムで検出する場合には、状況の変化をリアルタイムで追従することができ、例えば異物が取り除かれた場合等には、そのことを即座に判断することができる。
【０１９６】
また、画像データに基づいて異物を検出した場合に当該異物に関する情報を出力する態様を採用したときには、異物が存在する場所、異物の大きさ、異物の種類等を、表示部５５１等の報知部で表示させたり、音声で知らせたりすることができる。なお、吟味台１４ａ等の載置部１０に予め番地が割り振られており、異物が存在する番地を登録表示部３５１等で表示するようにしてもよい。一例としては、吟味台１４ａの幅方向にＡ、Ｂ、・・・という番地が振られ、吟味台１４ａの奥行き方向に１、２、３、・・・という番地が振られており、登録表示部３５１で「３Ｃに異物有り」というような表示がなされてもよい。なおこの場合には、製造コストを抑える観点から、表示部５５１に画像データを表示させないようにしてもよい。また、吟味台１４ａ等の載置部１０内にＬＥＤ等の発光部が複数埋め込まれており、異物が存在する箇所の最も近い位置に位置する発光部が発光するようにしてもよい。ところで、このような態様によれば、異物として判断された汚損硬貨や変形してしまった硬貨、汚損紙幣等を認識することなく預かり金を確定してしまう事態が発生することを防止できることから、顧客から預かった預かり金額をより正確に把握することができる。
【０１９７】
売上金額に基づいて余分な貨幣が載置されているか否かをリアルタイムで判断する態様を採用した場合であって、当該余分な貨幣に関する情報が出力される場合には、例えば、預かり金額を確定する前にそのことを顧客や操作者に知らせることができる。このため、無駄な釣銭を支払う作業をなくすことができる。ちなみに、このような態様によれば、外国人等の日本円に関する知識が乏しく、自己が支払っている貨幣の中に無駄があるのかないのかを把握していない顧客に対しても、余分な貨幣が支払われていることを操作者が容易に説明することができるし、当該顧客も余分な貨幣が支払われていることを自ら判断することができる。
【０１９８】
本実施の形態の吟味台１４ａ等からなる載置部１０が区分け部１５を有する場合には、載置部１０に載置される貨幣を互いに離間させた状態に区分けすることができるので、載置部１０上で貨幣が重なり合った結果、当該貨幣の金種を判断できない事態が発生することを極力防止することができる。
【０１９９】
そして、区分け部１５が、載置部１０の載置面に沿って形成される多角形状又は円形状の区画を画定する突出壁である場合には、より確実に貨幣を分離することができる。他方、区分け部１５が、載置面に沿って形成される所定の区画の頂点に位置する複数の突起部である場合には、より低い材料コストで区分け部１５を製造することができる。
【０２００】
また、区画の大きさは、取扱い対象とする硬貨のうち最大径の硬貨の直径よりも大きく取扱い対象とする硬貨のうち最小径の硬貨の直径の２倍よりも小さい場合には、各区画の中に２枚以上の硬貨が入ってしまうことを防止することができる。
【０２０１】
また、区分け部１５の厚みが、取扱い対象とする硬貨のうち最も厚みの薄い硬貨の厚みよりも薄くなっている場合には、各区画の中に２枚以上の硬貨が重なって配置されてしまうことを防止することができる。
【０２０２】
また、載置部１０が、区分け部１５を有する第一部材１１と、第一部材１１の下方に設けられるとともに第一部材１１に対して開閉可能な第二部材１２と、を有する場合には、第二部材１２を第一部材１１に対して開状態とすることで、載置部１０の載置面に載置された硬貨を下方に落下させることができる。したがって、例えば硬貨受入部１１０やシュート２０が載置部１０の下方に位置している場合には、載置部１０に載置された硬貨をそのまま又はシュート２０を介して硬貨受入部１１０内に投入することができる。
【０２０３】
また、第二部材１２が例えば網目構造となっており、ゴミ抜き穴１２ａが形成されている場合には、載置部１０上の異物を除去することができ、異物が誤って硬貨受入部１１０内に投入されることを防止することができる。なお、載置部１０が硬貨を載置するためのものである場合には、ゴミ抜き穴１２ａの大きさを取扱い対象とする硬貨のうち最小径の硬貨の直径よりも小さくすることで、第二部材１２から硬貨が誤って落下してしまうことを防止することができる。
【０２０４】
また、第二部材１２の下方に、ゴミ収容部１３ａを有するとともに、当該第二部材１２に対して取り外し自在又は開閉自在となった第三部材１３が設けられている態様を採用した場合には、ゴミ抜き穴１２ａを通過して落下したゴミ等の異物をゴミ収容部１３ａで収容し、このようにして収容された異物を、第三部材１３を第二部材１２から取り外したり、第三部材１３及び第二部材１２を第一部材１１から取り外した後で、第三部材１３を第二部材１２に対して開状態としたりすることで適宜捨てることができる。
【０２０５】
最後になったが、前述した各実施の形態の記載及び図面の開示は、特許請求の範囲に記載された発明を説明するための一例に過ぎず、前述した実施の形態の記載又は図面の開示によって特許請求の範囲に記載された発明が限定されることはない。
【符号の説明】
【０２０６】
１０          載置部
１４ａ        吟味台
１００        硬貨処理装置
１０１        上位制御部（制御部）
１０２        硬貨制御部（制御部）
１０５        硬貨記憶部（記憶部）
１０９        硬貨処理ユニット
１５０        硬貨識別部
１５２        操作表示部（操作部、表示部）
１５３        ボタン式操作部（操作部）
１５５        上位記憶部（記憶部）
１７０        カードリーダ
２００        紙幣処理装置
２０２        紙幣制御部（制御部）
２０５        紙幣記憶部（記憶部）
２５０        紙幣識別部
３００        登録装置
４００        サーバ
５０２        制御部
５０５        記憶部
５５１        表示部
５５２        操作部
【図１】
0006584160.tif 000002
【図２】
0006584160.tif 000003
【図３】
0006584160.tif 000004
【図４】
0006584160.tif 000005
【図５】
0006584160.tif 000006
【図６】
0006584160.tif 000007
【図７】
0006584160.tif 000008
【図８】
0006584160.tif 000009
【図９】
0006584160.tif 000010
【図１０】
0006584160.tif 000011
【図１１】
0006584160.tif 000012
【図１２】
0006584160.tif 000013
【図１３】
0006584160.tif 000014
【図１４】
0006584160.tif 000015
【図１５】
0006584160.tif 000016
【図１６】
0006584160.tif 000017
【図１７】
0006584160.tif 000018
【図１８】
0006584160.tif 000019